(57)【要約】【課題】無線信号の送受信過程を効率的に行う方法及びそのための装置を提供する。【解決手段】本発明は無線通信システムに関し、具体的には、スロットセット内において１つの下りリンク信号のみを受信する段階、１つ以上の下りリンク信号に対するＡ／Ｎコードブックを生成する段階、及びＡ／Ｎコードブックを送信する段階を含み、所定の条件を満たす場合、Ａ／Ｎコードブックは１つ以上の下りリンク信号に対するＡ／Ｎ情報のみを含む方法及びそのための装置に関する。【選択図】図１１
2020532223.tif 000002
【特許請求の範囲】
【請求項１】
無線通信システムにおいて端末が通信を行う方法において、
スロットセット内で１つの下りリンク信号のみを受信する段階と、
前記１つ以上の下りリンク信号に対するＡ／Ｎ(Ａｃｋｎｏｗｌｅｄｇｅｍｅｎｔ／Ｎｅｇａｔｉｖｅ Ａｃｋｎｏｗｌｅｄｇｅｍｅｎｔ)コードブックを生成する段階と、
前記Ａ／Ｎコードブックを送信する段階と、を含み、
以下の１)〜３)を含む所定の条件を満たす場合、前記Ａ／Ｎコードブックは前記１つの下りリンク信号に対するＡ／Ｎ情報のみを含み、
１)Ａ／Ｎコードブック構成方式が半−静的Ａ／Ｎコードブックで設定され、
２)前記下りリンク信号がＰＣｅｌｌ(Ｐｒｉｍａｒｙ Ｃｅｌｌ)で受信され、
３)前記下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、前記第１ＤＣＩフォーマット内の特定のフィールドが第１値を有し、
前記第１ＤＣＩフォーマットは前記Ａ／Ｎコードブック構成方式が動的Ａ／Ｎコードブックで設定されてもフィールド構成が同一に維持されるＤＣＩフォーマットを含む、方法。
【請求項２】
前記第１ＤＣＩフォーマット内の特定のフィールドは、前記Ａ／Ｎコードブック構成方式が前記動的Ａ／Ｎコードブックで設定された場合、ｃｏｕｎｔｅｒ−ＤＡＩ(Ｄｏｗｎｌｉｎｋ Ａｓｓｉｇｎｍｅｎｔ Ｉｎｄｅｘ)値を指示する用途に使用される２−ビットフィールドを含む、請求項１に記載の方法。
【請求項３】
前記下りリンク信号は(ｉ)ＰＤＳＣＨ(Ｐｈｙｓｉｃａｌ Ｄｏｗｎｌｉｎｋ Ｓｈａｒｅｄ Ｃｈａｎｎｅｌ)又は(ｉｉ)ＳＰＳ(Ｓｅｍｉ−Ｐｅｒｓｉｓｔｅｎｔ ｓｃｈｅｄｕｌｉｎｇ)ＰＤＳＣＨ ｒｅｌｅａｓｅを指示するＰＤＣＣＨを含む、請求項１に記載の方法。
【請求項４】
前記下りリンク信号が第２ＤＣＩフォーマットによりスケジューリングされる場合、前記Ａ／Ｎコードブックは前記スロットセット内のスロット数に基づく最大Ａ／Ｎ情報を含み、
前記第２ＤＣＩフォーマットは前記Ａ／Ｎコードブック構成方式に基づいてＤＡＩフィールドの有無が変化するＤＣＩフォーマットを含み、
前記スロットセットは複数のスロットを含む、請求項１に記載の方法。
【請求項５】
前記Ａ／ＮコードブックがＰＵＳＣＨ(Ｐｈｙｓｉｃａｌ Ｕｐｌｉｎｋ Ｓｈａｒｅｄ Ｃｈａｎｎｅｌ)を介して送信される場合、前記所定の条件はさらに以下の４) 
４)前記ＰＵＳＣＨは１−ビットＤＡＩフィールドを含むＵＬ(Ｕｐｌｉｎｋ)グラントＤＣＩによりスケジューリングされ、前記１−ビットＤＡＩフィールドは第２値を有する、
を含む、請求項１に記載の方法。
【請求項６】
無線通信システムに使用される端末において、
ＲＦ(Ｒａｄｉｏ Ｆｒｅｑｕｅｎｃｙ)モジュールと、
プロセッサと、を含み、前記プロセッサは、
スロットセット内で１つの下りリンク信号のみを受信し、
前記１つ以上の下りリンク信号に対するＡ／Ｎ(Ａｃｋｎｏｗｌｅｄｇｅｍｅｎｔ／Ｎｅｇａｔｉｖｅ Ａｃｋｎｏｗｌｅｄｇｅｍｅｎｔ)コードブックを生成し、
前記Ａ／Ｎコードブックを送信するように構成され、
以下の１)〜３)を含む所定の条件を満たす場合、前記Ａ／Ｎコードブックは前記１つの下りリンク信号に対するＡ／Ｎ情報のみを含み、
１)Ａ／Ｎコードブック構成方式が半−静的Ａ／Ｎコードブックで設定され、
２)前記下りリンク信号がＰＣｅｌｌ(Ｐｒｉｍａｒｙ Ｃｅｌｌ)で受信され、
３)前記下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、前記第１ＤＣＩフォーマット内の特定のフィールドが第１値を有し、
前記第１ＤＣＩフォーマットは前記Ａ／Ｎコードブック構成方式が動的Ａ／Ｎコードブックで設定されてもフィールド構成が同一に維持されるＤＣＩフォーマットを含む、端末。
【請求項７】
前記第１ＤＣＩフォーマット内の特定のフィールドは、前記Ａ／Ｎコードブック構成方式が前記動的Ａ／Ｎコードブックで設定された場合、ｃｏｕｎｔｅｒ−ＤＡＩ(Ｄｏｗｎｌｉｎｋ Ａｓｓｉｇｎｍｅｎｔ Ｉｎｄｅｘ)値を指示する用途に使用される２−ビットフィールドを含む、請求項６に記載の端末。
【請求項８】
前記下りリンク信号は(ｉ)ＰＤＳＣＨ(Ｐｈｙｓｉｃａｌ Ｄｏｗｎｌｉｎｋ Ｓｈａｒｅｄ Ｃｈａｎｎｅｌ)又は(ｉｉ)ＳＰＳ(Ｓｅｍｉ−Ｐｅｒｓｉｓｔｅｎｔ ｓｃｈｅｄｕｌｉｎｇ)ＰＤＳＣＨ ｒｅｌｅａｓｅを指示するＰＤＣＣＨを含む、請求項６に記載の端末。
【請求項９】
前記下りリンク信号が第２ＤＣＩフォーマットによりスケジューリングされる場合、前記Ａ／Ｎコードブックは前記スロットセット内のスロット数に基づく最大Ａ／Ｎ情報を含み、
前記第２ＤＣＩフォーマットは前記Ａ／Ｎコードブック構成方式に基づいてＤＡＩフィールドの有無が変化するＤＣＩフォーマットを含み、
前記スロットセットは複数のスロットを含む、請求項６に記載の端末。
【請求項１０】
前記Ａ／ＮコードブックがＰＵＳＣＨ(Ｐｈｙｓｉｃａｌ Ｕｐｌｉｎｋ Ｓｈａｒｅｄ Ｃｈａｎｎｅｌ)を介して受信される場合、前記所定の条件はさらに以下の４) 
４)前記ＰＵＳＣＨは１−ビットＤＡＩフィールドを含むＵＬ(Ｕｐｌｉｎｋ)グラントＤＣＩによりスケジューリングされ、前記１−ビットＤＡＩフィールドは第２値を有する、を含む、請求項６に記載の端末。
【請求項１１】
無線通信システムに使用される基地局において、
ＲＦ(Ｒａｄｉｏ Ｆｒｅｑｕｅｎｃｙ)モジュールと、
プロセッサと、を含み、前記プロセッサは、
スロットセット内で１つの下りリンク信号のみを送信し、
前記１つ以上の下りリンク信号に対するＡ／Ｎ(Ａｃｋｎｏｗｌｅｄｇｅｍｅｎｔ／Ｎｅｇａｔｉｖｅ Ａｃｋｎｏｗｌｅｄｇｅｍｅｎｔ)コードブックを受信し、
前記Ａ／Ｎコードブックを処理するように構成され、
以下の１)〜３)を含む所定の条件を満たす場合、前記Ａ／Ｎコードブックは前記１つの下りリンク信号に対するＡ／Ｎ情報のみを含み、
１)Ａ／Ｎコードブック構成方式が半−静的Ａ／Ｎコードブックで設定され、
２)前記下りリンク信号がＰＣｅｌｌ(Ｐｒｉｍａｒｙ Ｃｅｌｌ)で受信され、
３)前記下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、前記第１ＤＣＩフォーマット内の特定のフィールドが第１値を有し、
前記第１ＤＣＩフォーマットは前記Ａ／Ｎコードブック構成方式が動的Ａ／Ｎコードブックで設定されてもフィールド構成が同一に維持されるＤＣＩフォーマットを含む、基地局。
【請求項１２】
前記第１ＤＣＩフォーマット内の特定のフィールドは、前記Ａ／Ｎコードブック構成方式が前記動的Ａ／Ｎコードブックで設定された場合、ｃｏｕｎｔｅｒ−ＤＡＩ(Ｄｏｗｎｌｉｎｋ Ａｓｓｉｇｎｍｅｎｔ Ｉｎｄｅｘ)値を指示する用途に使用される２−ビットフィールドを含む、請求項１１に記載の基地局。
【請求項１３】
前記下りリンク信号は(ｉ)ＰＤＳＣＨ(Ｐｈｙｓｉｃａｌ Ｄｏｗｎｌｉｎｋ Ｓｈａｒｅｄ Ｃｈａｎｎｅｌ)又は(ｉｉ)ＳＰＳ(Ｓｅｍｉ−Ｐｅｒｓｉｓｔｅｎｔ ｓｃｈｅｄｕｌｉｎｇ)ＰＤＳＣＨ ｒｅｌｅａｓｅを指示するＰＤＣＣＨを含む、請求項１１に記載の基地局。
【請求項１４】
前記下りリンク信号が第２ＤＣＩフォーマットによりスケジューリングされる場合、前記Ａ／Ｎコードブックは前記スロットセット内のスロット数に基づく最大Ａ／Ｎ情報を含み、
前記第２ＤＣＩフォーマットは前記Ａ／Ｎコードブック構成方式に基づいてＤＡＩフィールドの有無が変化するＤＣＩフォーマットを含み、
前記スロットセットは複数のスロットを含む、請求項１１に記載の基地局。
【請求項１５】
前記Ａ／ＮコードブックがＰＵＳＣＨ(Ｐｈｙｓｉｃａｌ Ｕｐｌｉｎｋ Ｓｈａｒｅｄ Ｃｈａｎｎｅｌ)を介して受信される場合、前記所定の条件はさらに以下の４) 
４)前記ＰＵＳＣＨは１−ビットＤＡＩフィールドを含むＵＬ(Ｕｐｌｉｎｋ)グラントＤＣＩによりスケジューリングされ、前記１−ビットＤＡＩフィールドは第２値を有する、を含む、請求項１１に記載の基地局。
【発明の詳細な説明】
【技術分野】
【０００１】
本発明は無線通信システムに関し、より具体的には無線信号の送受信方法及び装置に関する。無線通信システムはＣＡ(Ｃａｒｒｉｅｒ Ａｇｇｒｅｇａｔｉｏｎ)基盤の無線通信システムを含む。
【背景技術】
【０００２】
無線通信システムが音声やデータなどの種々の通信サービスを提供するために広範囲に展開されている。一般に、無線通信システムは可用のシステムリソース(帯域幅、伝送パワーなど)を共有して多重使用者との通信を支援することができる多重接続(ｍｕｌｔｉｐｌｅ ａｃｃｅｓｓ)システムである。多重接続システムの例としては、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。
【発明の概要】
【発明が解決しようとする課題】
【０００３】
本発明の目的は、無線信号の送受信過程を効率的に行う方法及びそのための装置を提供することにある。
【０００４】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００５】
本発明の一様相として、無線通信システムにおいて端末が通信を行う方法において、スロットセット内で１つの下りリンク信号のみを受信する段階、１つ以上の下りリンク信号に対するＡ／Ｎ(Ａｃｋｎｏｗｌｅｄｇｅｍｅｎｔ／Ｎｅｇａｔｉｖｅ Ａｃｋｎｏｗｌｅｄｇｅｍｅｎｔ)コードブックを生成する段階、及びＡ／Ｎコードブックを送信する段階を含み、以下の１)〜３)を含む所定の条件を満たす場合、Ａ／Ｎコードブックは１つの下りリンク信号に対するＡ／Ｎ情報のみを含む方法が提供される。
【０００６】
１)Ａ／Ｎコードブック構成方式が半−静的Ａ／Ｎコードブックで設定され、
【０００７】
２)下りリンク信号がＰＣｅｌｌ(Ｐｒｉｍａｒｙ Ｃｅｌｌ)で受信され、
【０００８】
３)下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、第１ＤＣＩフォーマット内の特定のフィールドが第１値を有し、
【０００９】
第１ＤＣＩフォーマットはＡ／Ｎコードブック構成方式が動的Ａ／Ｎコードブックで設定されてもフィールド構成が同一に維持されるＤＣＩフォーマットを含む。
【００１０】
本発明の他の様相として、無線通信システムに使用される端末において、ＲＦ(Ｒａｄｉｏ Ｆｒｅｑｕｅｎｃｙ)モジュール、及びプロセッサを含み、該プロセッサは、スロットセット内で１つの下りリンク信号のみを受信し、該１つ以上の下りリンク信号に対するＡ／Ｎ(Ａｃｋｎｏｗｌｅｄｇｅｍｅｎｔ／Ｎｅｇａｔｉｖｅ Ａｃｋｎｏｗｌｅｄｇｅｍｅｎｔ)コードブックを生成し、Ａ／Ｎコードブックを送信するように構成され、以下の１)〜３)を含む所定の条件を満たす場合、Ａ／Ｎコードブックは１つの下りリンク信号に対するＡ／Ｎ情報のみを含む端末が提供される。
【００１１】
１)Ａ／Ｎコードブック構成方式が半−静的Ａ／Ｎコードブックで設定され、
【００１２】
２)下りリンク信号がＰＣｅｌｌ(Ｐｒｉｍａｒｙ Ｃｅｌｌ)で受信され、
【００１３】
３)下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、第１ＤＣＩフォーマット内の特定のフィールドが第１値を有し、
【００１４】
第１ＤＣＩフォーマットはＡ／Ｎコードブック構成方式が動的Ａ／Ｎコードブックで設定されてもフィールド構成が同一に維持されるＤＣＩフォーマットを含む。
【００１５】
好ましくは、第１ＤＣＩフォーマット内の特定のフィールドは、Ａ／Ｎコードブック構成方式が動的Ａ／Ｎコードブックで設定された場合、ｃｏｕｎｔｅｒ−ＤＡＩ(Ｄｏｗｎｌｉｎｋ Ａｓｓｉｇｎｍｅｎｔ Ｉｎｄｅｘ)値を指示する用途に使用される２−ビットフィールドを含む。
【００１６】
好ましくは、下りリンク信号は(ｉ)ＰＤＳＣＨ(Ｐｈｙｓｉｃａｌ Ｄｏｗｎｌｉｎｋ Ｓｈａｒｅｄ Ｃｈａｎｎｅｌ)又は(ｉｉ)ＳＰＳ(Ｓｅｍｉ−Ｐｅｒｓｉｓｔｅｎｔ ｓｃｈｅｄｕｌｉｎｇ)ＰＤＳＣＨ ｒｅｌｅａｓｅを指示するＰＤＣＣＨを含む。
【００１７】
好ましくは、下りリンク信号が第２ＤＣＩフォーマットによりスケジューリングされる場合、Ａ／Ｎコードブックはスロットセット内のスロット数に基づく最大Ａ／Ｎ情報を含み、第２ＤＣＩフォーマットはＡ／Ｎコードブック構成方式に基づいてＤＡＩフィールドの有無が変化するＤＣＩフォーマットを含み、スロットセットは複数のスロットを含む。
【００１８】
好ましくは、Ａ／ＮコードブックがＰＵＳＣＨ(Ｐｈｙｓｉｃａｌ Ｕｐｌｉｎｋ Ｓｈａｒｅｄ Ｃｈａｎｎｅｌ)を介して送信される場合、所定の条件はさらに以下の４)を含む。
【００１９】
４)ＰＵＳＣＨは１−ビットＤＡＩフィールドを含むＵＬ(Ｕｐｌｉｎｋ)グラントＤＣＩによりスケジューリングされ、１−ビットＤＡＩフィールドは第２値を有する。
【００２０】
本発明のさらに他の様相として、無線通信システムにおいて基地局が通信を行う方法において、スロットセット内で１つの下りリンク信号のみを送信する段階、１つ以上の下りリンク信号に対するＡ／Ｎ(Ａｃｋｎｏｗｌｅｄｇｅｍｅｎｔ／Ｎｅｇａｔｉｖｅ Ａｃｋｎｏｗｌｅｄｇｅｍｅｎｔ)コードブックを受信する段階、及びＡ／Ｎコードブックを処理する段階を含み、以下の１)〜３)を含む所定の条件を満たす場合、Ａ／Ｎコードブックは１つの下りリンク信号に対するＡ／Ｎ情報のみを含む方法が提供される。
【００２１】
１)Ａ／Ｎコードブック構成方式が半−静的Ａ／Ｎコードブックで設定され、
【００２２】
２)下りリンク信号がＰＣｅｌｌ(Ｐｒｉｍａｒｙ Ｃｅｌｌ)で送信され、
【００２３】
３)下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、第１ＤＣＩフォーマット内の特定のフィールドが第１値を有し、
【００２４】
第１ＤＣＩフォーマットはＡ／Ｎコードブック構成方式が動的Ａ／Ｎコードブックで設定されてもフィールド構成が同一に維持されるＤＣＩフォーマットを含む。
【００２５】
本発明のさらに他の様相として、無線通信システムに使用される基地局において、ＲＦ(Ｒａｄｉｏ Ｆｒｅｑｕｅｎｃｙ)モジュール、及びプロセッサを含み、該プロセッサは、スロットセット内で１つの下りリンク信号のみを送信し、該１つ以上の下りリンク信号に対するＡ／Ｎ(Ａｃｋｎｏｗｌｅｄｇｅｍｅｎｔ／Ｎｅｇａｔｉｖｅ Ａｃｋｎｏｗｌｅｄｇｅｍｅｎｔ)コードブックを受信し、Ａ／Ｎコードブックを処理するように構成され、以下の１)〜３)を含む所定の条件を満たす場合、Ａ／Ｎコードブックは１つの下りリンク信号に対するＡ／Ｎ情報のみを含む基地局が提供される。
【００２６】
１)Ａ／Ｎコードブック構成方式が半−静的Ａ／Ｎコードブックで設定され、
【００２７】
２)下りリンク信号がＰＣｅｌｌ(Ｐｒｉｍａｒｙ Ｃｅｌｌ)で受信され、
【００２８】
３)下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、第１ＤＣＩフォーマット内の特定のフィールドが第１値を有し、
【００２９】
第１ＤＣＩフォーマットはＡ／Ｎコードブック構成方式が動的Ａ／Ｎコードブックで設定されてもフィールド構成が同一に維持されるＤＣＩフォーマットを含む。
【００３０】
好ましくは、第１ＤＣＩフォーマット内の特定のフィールドは、Ａ／Ｎコードブック構成方式が動的Ａ／Ｎコードブックで設定された場合、ｃｏｕｎｔｅｒ−ＤＡＩ(Ｄｏｗｎｌｉｎｋ Ａｓｓｉｇｎｍｅｎｔ Ｉｎｄｅｘ)値を指示する用途に使用される２−ビットフィールドを含む。
【００３１】
好ましくは、下りリンク信号は(ｉ)ＰＤＳＣＨ(Ｐｈｙｓｉｃａｌ Ｄｏｗｎｌｉｎｋ Ｓｈａｒｅｄ Ｃｈａｎｎｅｌ)又は(ｉｉ)ＳＰＳ(Ｓｅｍｉ−Ｐｅｒｓｉｓｔｅｎｔ ｓｃｈｅｄｕｌｉｎｇ)ＰＤＳＣＨ ｒｅｌｅａｓｅを指示するＰＤＣＣＨを含む。
【００３２】
好ましくは、下りリンク信号が第２ＤＣＩフォーマットによりスケジューリングされる場合、Ａ／Ｎコードブックはスロットセット内のスロット数に基づく最大Ａ／Ｎ情報を含み、第２ＤＣＩフォーマットはＡ／Ｎコードブック構成方式に基づいてＤＡＩフィールドの有無が変化するＤＣＩフォーマットを含み、スロットセットは複数のスロットを含むことができる。
【００３３】
好ましくは、Ａ／ＮコードブックがＰＵＳＣＨ(Ｐｈｙｓｉｃａｌ Ｕｐｌｉｎｋ Ｓｈａｒｅｄ Ｃｈａｎｎｅｌ)を介して受信される場合、所定の条件はさらに以下の４)を含む。
【００３４】
４)ＰＵＳＣＨは１−ビットＤＡＩフィールドを含むＵＬ(Ｕｐｌｉｎｋ)グラントＤＣＩによりスケジューリングされ、１−ビットＤＡＩフィールドは第２値を有する。
【発明の効果】
【００３５】
本発明によれば、無線通信システムにおいて無線信号の送受信を効率的に行うことができる。
【００３６】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００３７】
本発明に関する理解を助けるために詳細な説明の一部として含まれる添付図面は本発明の実施例を提供し、詳細な説明とともに本発明の技術的思想を説明する。
【００３８】
【図１】無線通信システムの一例である３ＧＰＰ ＬＴＥ(−Ａ)システムに用いられる物理チャネル及びこれらを用いた一般的な信号伝送方法を例示する図である。
【図２】無線フレーム(ｒａｄｉｏ ｆｒａｍｅ)の構造を例示する図である。
【図３】下りリンクスロットのリソースグリッドを例示する図である。
【図４】下りリンクサブフレームの構造を示す図である。
【図５】ＬＴＥ(−Ａ)で使用される上りリンクサブフレームの構造を例示する図である。
【図６】ＵＬ ＨＡＲＱ(Ｕｐｌｉｎｋ Ｈｙｂｒｉｄ Ａｕｔｏｍａｔｉｃ Ｒｅｐｅａｔ ｒｅＱｕｅｓｔ)動作を例示する図である。
【図７】キャリア併合(Ｃａｒｒｉｅｒ Ａｇｇｒｅｇａｔｉｏｎ、ＣＡ)通信システムを例示する図である。
【図８】クロス−キャリアスケジューリング(ｃｒｏｓｓ−ｃａｒｒｉｅｒ ｓｃｈｅｄｕｌｉｎｇ)を例示する図である。
【図９】自己完結(ｓｅｌｆ−ｃｏｎｔａｉｎｅｄ)サブフレーム構造を例示する図である。
【図１０】３ＧＰＰ ＮＲに定義されたフレーム構造を例示する図である。
【図１１】本発明によるＡ／Ｎ過程を例示する図である。
【図１２】本発明によるＡ／Ｎ過程を例示する図である。
【図１３】本発明に適用可能な基地局及び端末を例示する図である。
【発明を実施するための形態】
【００３９】
以下の技術はＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などの多様な無線接続システムに用いられることができる。ＣＤＭＡはＵＴＲＡ(Ｕｎｉｖｅｒｓａｌ Ｔｅｒｒｅｓｔｒｉａｌ Ｒａｄｉｏ Ａｃｃｅｓｓ)又はＣＤＭＡ２０００のような無線技術(ｒａｄｉｏ ｔｅｃｈｎｏｌｏｇｙ)によって具現可能である。ＴＤＭＡはＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術によって具現可能である。ＯＦＤＭＡはＩＥＥＥ ８０２．１１(Ｗｉ−Ｆｉ)、ＩＥＥＥ ８０２．１６(ＷｉＭＡＸ)、ＩＥＥＥ ８０２−２０、Ｅ−ＵＴＲＡ(Ｅｖｏｌｖｅｄ ＵＴＲＡ)などの無線技術によって具現可能である。ＵＴＲＡはＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)はＥ−ＵＴＲＡを用いるＥ−ＵＭＴＳ(Ｅｖｏｌｖｅｄ ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)は３ＧＰＰ ＬＴＥの進化したバージョンである。説明を明確にするために、３ＧＰＰ ＬＴＥ／ＬＴＥ−Ａを主として説明したが、本発明の技術的思想はこれに限定されない。
【００４０】
無線通信システムにおいて、端末は基地局から下りリンク(Ｄｏｗｎｌｉｎｋ、ＤＬ)を介して情報を受信し、端末は基地局から上りリンク(Ｕｐｌｉｎｋ、ＵＬ)を介して情報を伝送する。基地局と端末が送受信する情報はデータ及び様々な制御情報を含み、これらが送受信する情報の種類／用途によって様々な物理チャネルが存在する。
【００４１】
図１は３ＧＰＰ ＬＴＥ(−Ａ)システムに用いられる物理チャネル及びこれらを用いた一般的な信号伝送方法を例示する図である。
【００４２】
電源Ｏｆｆ状態で電源を入れたか或いは新しくセルに進入した端末は、段階Ｓ１０１において、基地局と同期を確立するなどの初期セル探索(Ｉｎｉｔｉａｌ ｃｅｌｌ ｓｅａｒｃｈ)作業を行う。このために、端末は基地局から主同期チャネル(Ｐｒｉｍａｒｙ Ｓｙｎｃｈｒｏｎｉｚａｔｉｏｎ Ｃｈａｎｎｅｌ、Ｐ−ＳＣＨ)及び副同期チャネル(Ｓｅｃｏｎｄａｒｙ Ｓｙｎｃｈｒｏｎｉｚａｔｉｏｎ Ｃｈａｎｎｅｌ、Ｓ−ＳＣＨ)を受信して基地局と同期を確立し、セルＩＤ(ｃｅｌｌ ｉｄｅｎｔｉｔｙ)などの情報を得る。その後、端末は基地局から物理放送チャネル(Ｐｈｙｓｉｃａｌ Ｂｒｏａｄｃａｓｔ Ｃｈａｎｎｅｌ、ＰＢＣＨ)を受信してセル内の放送情報を得る。なお、端末は初期セル探索の段階において、下りリンク参照信号(Ｄｏｗｎｌｉｎｋ Ｒｅｆｅｒｅｎｃｅ Ｓｉｇｎａｌ、ＤＬ ＲＳ)を受信して下りリンクチャネルの状態を確認できる。
【００４３】
初期セル探索が終了した端末は、段階Ｓ１０２において、物理下りリンク制御チャネル(Ｐｈｙｓｉｃａｌ Ｄｏｗｎｌｉｎｋ Ｃｏｎｔｒｏｌ Ｃｈａｎｎｅｌ、ＰＤＣＣＨ)及び物理下りリンク制御チャネルの情報に基づく物理下りリンク共有チャネル(Ｐｈｙｓｉｃａｌ Ｄｏｗｎｌｉｎｋ Ｃｏｎｔｒｏｌ Ｃｈａｎｎｅｌ、ＰＤＳＣＨ)を受信して、より具体的なシステム情報を得る。
【００４４】
以後端末は基地局に接続を完了するために、段階Ｓ１０３乃至段階Ｓ１０６のような任意接続過程(Ｒａｎｄｏｍ Ａｃｃｅｓｓ Ｐｒｏｃｅｄｕｒｅ)を行う。このために端末は、物理任意接続チャネル(Ｐｈｙｓｉｃａｌ Ｒａｎｄｏｍ Ａｃｃｅｓｓ Ｃｈａｎｎｅｌ、ＰＲＡＣＨ)を介してプリアンブル(ｐｒｅａｍｂｌｅ)を伝送し(Ｓ１０３)、物理下りリンク制御チャネル及びこれに対応する物理下りリンク共有チャネルを介してプリアンブルに対する応答メッセージを受信する(Ｓ１０４)。競争基盤の任意接続(Ｃｏｎｔｅｎｔｉｏｎ ｂａｓｅｄ ｒａｎｄｏｍ ａｃｃｅｓｓ)の場合、さらなる物理任意接続チャネルの伝送(Ｓ１０５)、物理下りリンク制御チャネル及びそれに対応する物理下りリンク共有チャネルの受信(Ｓ１０６)のような衝突解決手順(Ｃｏｎｔｅｎｔｉｏｎ Ｒｅｓｏｌｕｔｉｏｎ Ｐｒｏｃｅｄｕｒｅ)を行う。
【００４５】
このような手順を行った端末は、その後一般的な上り／下りリンク信号の伝送手順として物理下りリンク制御チャネル／物理下りリンク共有チャネルの受信(Ｓ１０７)、及び物理上りリンク共有チャネル(Ｐｈｙｓｉｃａｌ Ｕｐｌｉｎｋ Ｓｈａｒｅｄ Ｃｈａｎｎｅｌ、ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ、ＰＵＣＣＨ)の伝送を行う(Ｓ１０８)。端末が基地局に伝送する制御情報を併せて上りリンク制御情報(Ｕｐｌｉｎｋ Ｃｏｎｔｒｏｌ Ｉｎｆｏｒｍａｔｉｏｎ、ＵＣＩ)と称する。ＵＣＩは、ＨＡＲＱ ＡＣＫ／ＮＡＣＫ(Ｈｙｂｒｉｄ Ａｕｔｏｍａｔｉｃ Ｒｅｐｅａｔ ａｎｄ ｒｅＱｕｅｓｔ Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ Ｒｅｑｕｅｓｔ)、ＣＳＩ(Ｃｈａｎｎｅｌ Ｓｔａｔｅ Ｉｎｆｏｒｍａｔｉｏｎ)などを含む。ＣＳＩは、ＣＱＩ(Ｃｈａｎｎｅｌ Ｑｕａｌｉｔｙ Ｉｎｄｉｃａｔｏｒ)、ＰＭＩ(Ｐｒｅｃｏｄｉｎｇ Ｍａｔｒｉｘ Ｉｎｄｉｃａｔｏｒ)、ＲＩ(Ｒａｎｋ Ｉｎｄｉｃａｔｉｏｎ)などを含む。ＵＣＩは一般的にＰＵＣＣＨを介して伝送されるが、制御情報とトラヒックデータが同時に伝送される必要がある場合にはＰＵＳＣＨを介して伝送される。また、ネットワークの要請／指示によってＰＵＳＣＨを介してＵＣＩを非周期的に伝送することができる。
【００４６】
図２は無線フレーム(ｒａｄｉｏ ｆｒａｍｅ)構造を例示する。上りリンク／下りリンクデータパケット伝送サブフレーム(ｓｕｂｆｒａｍｅ)単位でなり、一つのサブフレームは多数のＯＦＤＭシンボルを含む一定時間区間と定義される。ＬＴＥ(−Ａ)はＦＤＤ(Ｆｒｅｑｕｅｎｃｙ Ｄｉｖｉｓｉｏｎ Ｄｕｐｌｅｘ)のためのタイプ１無線フレーム構造及びＴＤＤ(Ｔｉｍｅ Ｄｉｖｉｓｉｏｎ Ｄｕｐｌｅｘ)のためのタイプ２無線フレーム構造を支援する。
【００４７】
図２(ａ)はタイプ１無線フレーム構造を例示する。下りリンク無線フレームは１０個のサブフレームで構成され、一つのサブフレームは時間領域(ｔｉｍｅ ｄｏｍａｉｎ)で２個のスロット(ｓｌｏｔ)で構成される。一つのサブフレームが送信されるのにかかる時間をＴＴＩ(ｔｒａｎｓｍｉｓｓｉｏｎ ｔｉｍｅ ｉｎｔｅｒｖａｌ)と言う。例えば、一つのサブフレームの長さは１ｍｓであり、一つのスロットの長さは０．５ｍｓであってもよい。一つのスロットは時間領域で複数のＯＦＤＭシンボルを含み、周波数領域で多数のリソースブロック(Ｒｅｓｏｕｒｃｅ Ｂｌｏｃｋ、ＲＢ)を含む。3GPPＬＴＥ(−Ａ)システムにおいては下りリンクでＯＦＤＭＡを使うので、ＯＦＤＭシンボルが一つのシンボル区間を示す。ＯＦＤＭシンボルはＳＣ−ＦＤＭＡシンボル又はシンボル区間と言うこともできる。リソース割当て単位としてのリソースブロック(ＲＢ)は一つのスロットで複数の連続的な副搬送波(ｓｕｂｃａｒｒｉｅｒ)を含むことができる。
【００４８】
スロットに含まれるＯＦＤＭシンボルの数は、ＣＰ(Ｃｙｃｌｉｃ Ｐｒｅｆｉｘ)の構成によって異なる。ＣＰには拡張ＣＰ(ｅｘｔｅｎｄｅｄ ＣＰ)とノーマルＣＰ(ｎｏｒｍａｌ ＣＰ)がある。例えば、ＯＦＤＭシンボルがノーマルＣＰにより構成される場合、１つのスロットに含まれるＯＦＤＭシンボルの数は７つである。ＯＦＤＭシンボルが拡張されたＣＰによって構成される場合、１つのＯＦＤＭシンボルの長さが長くなるので、１つのスロットに含まれるＯＦＤＭシンボルの数はノーマルＣＰの場合より少なくなる。例えば、拡張ＣＰの場合、１つのスロットに含まれるＯＦＤＭシンボルの数が６つである。端末の高速移動などによりチャネルの状態が不安定な場合、シンボルの間の干渉を減らすために拡張ＣＰが使用される。
【００４９】
ノーマルＣＰが使用される場合、スロットは７つのＯＦＤＭシンボルを含むので、サブフレームは１４つのＯＦＤＭシンボルを含む。サブフレームの初めから最大３つのＯＦＤＭシンボルはＰＤＣＣＨ(ｐｈｙｓｉｃａｌ ｄｏｗｎｌｉｎｋ ｃｏｎｔｒｏｌ ｃｈａｎｎｅｌ)に割り当てられ、その他のＯＦＤＭシンボルはＰＤＳＣＨ(ｐｈｙｓｉｃａｌ ｄｏｗｎｌｉｎｋ ｓｈａｒｅｄ ｃｈａｎｎｅｌ)に割り当てられる。
【００５０】
図２(ｂ)はタイプ２の無線フレームの構造を例示する。タイプ２の無線フレームは、２つのハーフフレーム(ｈａｌｆ ｆｒａｍｅ)で構成される。ハーフフレームは４(５)個の一般サブフレームと１(０)個のスペシャルサブフレームを含む。一般サブフレームはＵＬ−ＤＬ構成(Ｕｐｌｉｎｋ−Ｄｏｗｎｌｉｎｋ Ｃｏｎｆｉｇｕｒａｔｉｏｎ)によって上りリンク又は下りリンクに使用される。サブフレームは２つのスロットで構成される。
【００５１】
表１はＵＬ−ＤＬ構成による無線フレーム内のサブフレームの構成を例示する。
【００５２】
【表１】
2020532223.tif 000003
【００５３】
表で、Ｄは下りリンクサブフレームを、Ｕは上りリンクサブフレームを、Ｓはスペシャル(ｓｐｅｃｉａｌ)サブフレームを示す。スペシャルサブフレームはＤｗＰＴＳ(Ｄｏｗｎｌｉｎｋ Ｐｉｌｏｔ Ｔｉｍｅ Ｓｌｏｔ)、ＧＰ(Ｇｕａｒｄ Ｐｅｒｉｏｄ)、ＵｐＰＴＳ(Ｕｐｌｉｎｋ Ｐｉｌｏｔ ＴｉｍｅＳｌｏｔ)を含む。ＤｗＰＴＳは端末における初期セル探索、同期化又はチャネル推定に使用される。ＵｐＰＴＳは基地局におけるチャネル推定、端末の上りリンク伝送同期の確立に使用される。保護区間は上りリンクと下りリンクの間における下りリンク信号の多重経路遅延により上りリンクに発生し得る干渉を除去するための区間である。
【００５４】
無線フレームの構造は一例に過ぎず、無線フレームにおいてサブフレームの数、スロットの数、シンボルの数は様々に変更可能である。
【００５５】
図３は下りリンクスロットのリソースグリッドを例示する図である。
【００５６】
図３を参照すると、下りリンクスロットは時間ドメインで複数のＯＦＤＭシンボルを含む。ここでは、１つの下りリンクスロットは７つのＯＦＤＭシンボルを含み、１つのリソースブロック(ＲＢ)は周波数ドメインで１２つの副搬送波を含むことが例示されている。しかし、本発明はこれに制限されない。リソースグリッド上で各々の要素はリソース要素(Ｒｅｓｏｕｒｃｅ Ｅｌｅｍｅｎｔ、ＲＥ)と称される。１つのＲＢは１２×７ＲＥを含む。下りリンクスロットに含まれたＲＢの数ＮＤＬは下りリンクの伝送帯域に依存する。上りリンクスロットの構造は下りリンクスロットの構造と同一である。
【００５７】
図４は下りリンクサブフレームの構造を例示する。
【００５８】
図４を参照すると、サブフレームの一番目スロットにおいて前側に位置する最大３(４)個のＯＦＤＭシンボルは制御チャネルが割り当てられる制御領域に対応する。その他のＯＦＤＭシンボルは、ＰＤＳＣＨ(ｐｈｙｓｉｃａｌ ｄｏｗｎｌｉｎｋ ｓｈａｒｅｄ ｃｈａｎｃｅｌ)が割り当てられるデータ領域に該当し、データ領域の基本リソース単位はＲＢである。ＬＴＥにおいて使用される下りリンク制御チャネルの例は、ＰＣＦＩＣＨ(ｐｈｙｓｉｃａｌ ｃｏｎｔｒｏｌ ｆｏｒｍａｔ ｉｎｄｉｃａｔｏｒ ｃｈａｎｎｅｌ)、ＰＤＣＣＨ(ｐｈｙｓｉｃａｌ ｄｏｗｎｌｉｎｋ ｃｏｎｔｒｏｌ ｃｈａｎｎｅｌ)、ＰＨＩＣＨ(ｐｈｙｓｉｃａｌ ｈｙｂｒｉｄ ＡＲＱ ｉｎｄｉｃａｔｏｒ ｃｈａｎｎｅｌ)などを含む。ＰＣＦＩＣＨはサブフレームの一番目ＯＦＤＭシンボルで送信され、サブフレーム内で制御チャネルの伝送に使われるＯＦＤＭシンボルの数についての情報を運ぶ。ＰＨＩＣＨは上りリンク伝送に対する応答であり、ＨＡＲＱ ＡＣＫ／ＮＡＣＫ(Ｈｙｂｒｉｄ Ａｕｔｏｍａｔｉｃ Ｒｅｐｅａｔ ｒｅｑｕｅｓｔ ａｃｋｎｏｗｌｅｄｇｍｅｎｔ／ｎｅｇａｔｉｖｅ−ａｃｋｎｏｗｌｅｄｇｍｅｎｔ)信号を運ぶ。ＰＤＣＣＨを介して伝送される制御情報はＤＣＩ(ｄｏｗｎｌｉｎｋ ｃｏｎｔｒｏｌ ｉｎｆｏｒｍａｔｉｏｎ)と称される。ＤＣＩは上りリンク又は下りリンクのスケジューリング情報又は任意の端末グループのための上りリンク伝送電力制御命令(Ｔｒａｎｓｍｉｔ Ｐｏｗｅｒ Ｃｏｎｔｒｏｌ Ｃｏｍｍａｎｄ)を含む。
【００５９】
ＰＤＣＣＨを介して送信される制御情報をＤＣＩ(Ｄｏｗｎｌｉｎｋ Ｃｏｎｔｒｏｌ Ｉｎｆｏｒｍａｔｉｏｎ)と言う。ＤＣＩフォーマットは上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの数、各々の情報フィールドのビットの数などが変わる。例えば、ＤＣＩフォーマットは用途によってホッピングフラグ(ｈｏｐｐｉｎｇ ｆｌａｇ)、ＲＢ割当て、ＭＣＳ(Ｍｏｄｕｌａｔｉｏｎ Ｃｏｄｉｎｇ Ｓｃｈｅｍｅ)、ＲＶ(Ｒｅｄｕｎｄａｎｃｙ Ｖｅｒｓｉｏｎ)、ＮＤＩ(Ｎｅｗ Ｄａｔａ Ｉｎｄｉｃａｔｏｒ)、ＴＰＣ(Ｔｒａｎｓｍｉｔ Ｐｏｗｅｒ Ｃｏｎｔｒｏｌ)、ＤＭＲＳ(ＤｅＭｏｄｕｌａｔｉｏｎ Ｒｅｆｅｒｅｎｃｅ Ｓｉｇｎａｌ)のための循環シフト、ＣＱＩ(Ｃｈａｎｎｅｌ Ｑｕａｌｉｔｙ Ｉｎｆｏｒｍａｔｉｏｎ)要請、ＨＡＲＱプロセス番号、ＴＰＭＩ(Ｔｒａｎｓｍｉｔｔｅｄ Ｐｒｅｃｏｄｉｎｇ Ｍａｔｒｉｘ Ｉｎｄｉｃａｔｏｒ)、ＰＭＩ(Ｐｒｅｃｏｄｉｎｇ Ｍａｔｒｉｘ Ｉｎｄｉｃａｔｏｒ)などの情報を選択的に含む。従って、ＤＣＩフォーマットによってＤＣＩフォーマットに整合される制御情報のサイズが変わる。なお、任意のＤＣＩフォーマットは２つ種類以上の制御情報伝送に使用される。例えば、ＤＣＩフォーマット０／１ＡはＤＣＩフォーマット０又はＤＣＩフォーマット１を運ぶために使用され、これらはフラグフィールド(ｆｌａｇ ｆｉｅｌｄ)により区分される。
【００６０】
ＰＤＣＣＨはＤＬ−ＳＣＨ(ｄｏｗｎｌｉｎｋ ｓｈａｒｅｄ ｃｈａｎｎｅｌ)の伝送フォーマット及びリソース割り当て、ＵＬ−ＳＣＨ(ｕｐｌｉｎｋ ｓｈａｒｅｄ ｃｈａｎｎｅｌ)に対するリソース割り当て情報、ＰＣＨ(ｐａｇｉｎｇ ｃｈａｎｎｅｌ)に対するページング情報、ＤＬ−ＳＣＨ上のシステム情報(ｓｙｓｔｅｍ ｉｎｆｏｒｍａｔｉｏｎ)、ＰＤＳＣＨ上で伝送されるランダム接続応答のような上位階層制御メッセージのリソース割り当て情報、任意の端末グループ内で個別の端末に対する伝送電力制御命令、ＶｏＩＰ(Ｖｏｉｃｅ ｏｖｅｒ ＩＰ)の活性化(ａｃｔｉｖａｔｉｏｎ)などを運ぶ。複数のＰＤＣＣＨが制御領域内で送信されることができる。端末は複数のＰＤＣＣＨをモニターすることができる。ＰＤＣＣＨは一つ又は複数の連続した制御チャネル要素(Ｃｏｎｔｒｏｌ Ｃｈａｎｎｅｌ Ｅｌｅｍｅｎｔ、ＣＣＥ)の集合(ａｇｇｒｅｇａｔｉｏｎ)上で送信される。ＣＣＥはＰＤＣＣＨに無線チャネル状態に基づくコーディングレートを提供するのに使われる論理的割当てユニットである。ＣＣＥは複数のリソース要素グループ(Ｒｅｓｏｕｒｃｅ Ｅｌｅｍｅｎｔ Ｇｒｏｕｐ、ＲＥＧ)に対応する。ＰＤＣＣＨのフォーマット及びＰＤＣＣＨビットの数はＣＣＥの数によって決定される。基地局は端末に送信されるＤＣＩによってＰＤＣＣＨフォーマットを決定し、制御情報にＣＲＣ(Ｃｙｃｌｉｃ Ｒｅｄｕｎｄａｎｃｙ Ｃｈｅｃｋ)を付け加える。ＣＲＣはＰＤＣＣＨの所有者又は使用目的によって識別子(例えば、ＲＮＴＩ(Ｒａｄｉｏ Ｎｅｔｗｏｒｋ Ｔｅｍｐｏｒａｒｙ Ｉｄｅｎｔｉｆｉｅｒ))でマスキングされる。例えば、ＰＤＣＣＨが特定の端末のためのものである場合、該当端末の識別子(例えば、Ｃｅｌｌ−ＲＮＴＩ(Ｃ−ＲＮＴＩ))がＣＲＣにマスキングされることができる。ＰＤＣＣＨがページングメッセージのためのものである場合、ページング識別子(例えば、Ｐａｇｉｎｇ−ＲＮＴＩ(Ｐ−ＲＮＴＩ))がＣＲＣにマスキングされる。ＰＤＣＣＨがシステム情報(より具体的に、システム情報ブロック(Ｓｙｓｔｅｍ Ｉｎｆｏｒｍａｔｉｏｎ Ｂｌｏｃｋ、ＳＩＢ))のためのものである場合、ＳＩ−ＲＮＴＩ(Ｓｙｓｔｅｍ Ｉｎｆｏｒｍａｔｉｏｎ ＲＮＴＩ)がＣＲＣにマスキングされる。ＰＤＣＣＨがランダム接続応答のためのものである場合、ＲＡ−ＲＮＴＩ(Ｒａｎｄｏｍ Ａｃｃｅｓｓ−ＲＮＴＩ)がＣＲＣにマスキングされる。
【００６１】
ＰＤＣＣＨはＤＣＩ(ｄｏｗｎｌｉｎｋ ｃｏｎｔｒｏｌ ｉｎｆｏｒｍａｔｉｏｎ)と知られたメッセージを運び、ＤＣＩは１つの端末又は端末グループのためのリソース割り当て及び他の制御情報を含む。一般的に、複数のＰＤＣＣＨが１つのサブフレーム内で伝送される。各々のＰＤＣＣＨは１つ以上のＣＣＥ(Ｃｏｎｔｒｏｌ Ｃｈａｎｎｅｌ Ｅｌｅｍｅｎｔ)を用いて伝送され、各々のＣＣＥは９セットの４つのリソース要素に対応する。４つのリソース要素はＲＥＧ(Ｒｅｓｏｕｒｃｅ Ｅｌｅｍｅｎｔ Ｇｒｏｕｐ)と称される。４つのＱＰＳＫシンボルが１つのＲＥＧにマッピングされる。参照信号に割り当てられたリソース要素はＲＥＧに含まれず、これによって与えられたＯＦＤＭシンボル内でＲＥＧの総数はセル−特定(ｃｅｌｌ−ｓｐｅｃｉｆｉｃ)の参照信号の存在有無によって変わる。ＲＥＧ概念(即ち、グループ単位マッピング、各々のグループは４つのリソース要素を含む)は、他の下りリンク制御チャネル(ＰＣＦＩＣＨ及びＰＨＩＣＨ)にも使用される。即ち、ＲＥＧは制御領域の基本リソース単位として使用される。４つのＰＤＣＣＨフォーマットが表２のように支援される。
【００６２】
【表２】
2020532223.tif 000004
【００６３】
複数のＣＣＥは連続的にナンバーリングされて使用され、復号化プロセスを単純化するために、ｎ  ＣＣＥｓで構成されたフォーマットを有するＰＤＣＣＨはｎの倍数と同じ数を有するＣＣＥでのみ始まる。所定のＰＤＣＣＨの伝送のために使用されるＣＣＥの数は、チャネル条件に従って基地局により決定される。例えば、ＰＤＣＣＨが良好な下りリンクチャネル(例えば、基地局に近い)を有する端末のためのものである場合、１つのＣＣＥでも十分である。しかし、悪いチャネル(例えば、セル境界に近い)を有する端末の場合は、十分な堅牢さ(ｒｏｂｕｓｔｎｅｓｓ)を得るために、８つのＣＣＥが使用される。また、ＰＤＣＣＨのパーワレベルをチャネル条件に合わせて調節できる。
【００６４】
ＬＴＥに導入された方案は、各々の端末のためにＰＤＣＣＨが位置可能な制限されたセットにおけるＣＣＥ位置を定義することである。端末が自分のＰＤＣＣＨを探索できる制限されたセットにおけるＣＣＥの位置は、検索空間(Ｓｅａｒｃｈ Ｓｐａｃｅ、ＳＳ)と称される。ＬＴＥにおいて、検索空間は各々のＰＤＣＣＨフォーマットによって異なるサイズを有する。また、ＵＥ−特定(ＵＥ−ｓｐｅｃｉｆｉｃ)及び共通(ｃｏｍｍｏｎ)の検索空間が別に定義される。ＵＥ−特定の検索空間(ＵＥ−Ｓｐｅｃｉｆｉｃ Ｓｅａｒｃｈ Ｓｐａｃｅ、ＵＳＳ)は、各々の端末のために個々に設定され、共通検索空間(Ｃｏｍｍｏｎ Ｓｅａｒｃｈ Ｓｐａｃｅ、ＣＳＳ)の範囲は全端末に通知される。ＵＥ−特定及び共通検索空間は、与えられた端末に対して重なり合うことができる。非常に小さい検索空間を有する時、所定の端末のための検索空間において一部のＣＣＥ位置が割り当てられた場合は残ったＣＣＥがないため、与えられたサブフレーム内で基地局はできる限り全ての端末にＰＤＣＣＨを伝送するＣＣＥリソースを見つけることができない。このようにブロッキングが次のサブフレームに続く可能性を最小化するために、ＵＥ−特定検索空間の開始位置に端末−特定ホッピングシーケンスが適用される。
【００６５】
表３は共通及びＵＥ−特定検索空間のサイズを表す。
【００６６】
【表３】
2020532223.tif 000005
【００６７】
ブラインドデコード(Ｂｌｉｎｄ Ｄｅｃｏｄｉｎｇ；ＢＤ)の総回数による計算負荷を統制下におくために、端末は定義された全てのＤＣＩフォーマットを同時に検索することが要求されない。一般的に、ＵＥ−特定検索空間内で端末は常にフォーマット０と１Ａを検索する。フォーマット０と１Ａは同じサイズを有し、メッセージ内のフラグによって区分される。また端末は追加フォーマットを受信するように要求されることができる(例えば、基地局により設定されたＰＤＳＣＨ伝送モードによって１，１Ｂ又は２)。共通検索空間において端末はフォーマット１Ａ及び１Ｃをサーチする。また端末はフォーマット３又は３Ａをサーチするように設定されることができる。フォーマット３及び３Ａはフォーマット０及び１Ａと同じサイズを有し、端末−特定識別者よりは、互いに異なる(共通)識別者でＣＲＣをスクランブルすることにより区分される。以下、伝送モードによるＰＤＳＣＨの伝送技法、及びＤＣＩフォーマットの情報コンテンツを記載する。
【００６８】
伝送モード(Ｔｒａｎｓｍｉｓｓｉｏｎ  Ｍｏｄｅ、ＴＭ)
【００６９】
●  伝送モード１：単一基地局アンテナポートからの伝送
【００７０】
●  伝送モード２：伝送ダイバーシティ
【００７１】
●  伝送モード３：開−ループ空間多重化
【００７２】
●  伝送モード４：閉−ループ空間多重化
【００７３】
●  伝送モード５：多重ユーザ  ＭＩＭＯ
【００７４】
●  伝送モード６：閉−ループ  ランク−１プリコーディング
【００７５】
●  伝送モード７：単一−アンテナポート(ポート５)の伝送
【００７６】
●  伝送モード８：二重レイヤ伝送(ポート７及び８)又は単一−アンテナポート(ポート７又は８)の伝送
【００７７】
●  伝送モード９：最大８つのレイヤ伝送(ポート７乃至１４)又は単一−アンテナポート(ポート７又は８)の伝送
【００７８】
ＤＣＩフォーマット
【００７９】
●  フォーマット０：ＰＵＳＣＨ伝送(上りリンク)のためのリソースグラント
【００８０】
●  フォーマット１：単一コードワード  ＰＤＳＣＨの伝送(伝送モード１，２及び７)のためのリソース割り当て
【００８１】
●  フォーマット１Ａ：単一コードワード  ＰＤＳＣＨ(全てのモード)のためのリソース割り当てのコンパクトシグナリング
【００８２】
●  フォーマット１Ｂ：ランク−１  閉−ループ  プリコーディングを用いるＰＤＳＣＨ(モード６)のためのコンパクトリソースの割り当て
【００８３】
●  フォーマット１Ｃ：ＰＤＳＣＨ(例えば、ページング／ブロードキャスティングシステム情報)のための非常にコンパクトなリソースの割り当て
【００８４】
●  フォーマット１Ｄ：多重ユーザ  ＭＩＭＯを用いるＰＤＳＣＨ(モード５)のためのコンパクトなリソースの割り当て
【００８５】
●  フォーマット２：閉−ループ  ＭＩＭＯ動作のＰＤＳＣＨ(モード４)のためのリソースの割り当て
【００８６】
●  フォーマット２Ａ：開−ループ  ＭＩＭＯ動作のＰＤＳＣＨ(モード３)のためのリソースの割り当て
【００８７】
●  フォーマット３／３Ａ：ＰＵＣＣＨ及びＰＵＳＣＨのために２ビット／１ビットのパワー調整値を有するパワーコントロールコマンド
【００８８】
図５はＬＴＥ(−Ａ)で使用される上りリンクサブフレームの構造を例示する図である。
【００８９】
図５を参照すると、サブフレーム５００は２つの０．５ｍｓスロット５０１で構成される。普通(Ｎｏｒｍａｌ)循環前置(Ｃｙｃｌｉｃ Ｐｒｅｆｉｘ、ＣＰ)の長さを仮定した時、各々のスロットは７つのシンボル５０２で構成され、１つのシンボルは１つのＳＣ−ＦＤＭＡシンボルに対応する。リソースブロック(Ｒｅｓｏｕｒｃｅ Ｂｌｏｃｋ、ＲＢ)５０３は周波数領域で１２つの副搬送波、また時間領域で１つのスロットに該当するリソース割り当て単位である。ＬＴＥ(−Ａ)の上りリンクサブフレームの構造は大きくデータ領域５０４と制御領域５０５に区分される。データ領域は各々の端末に伝送される音声、パケットなどのデータ送信に使用される通信リソースを意味し、ＰＵＳＣＨ(Ｐｈｙｓｉｃａｌ Ｕｐｌｉｎｋ Ｓｈａｒｅｄ Ｃｈａｎｎｅｌ)を含む。制御領域は上りリンク制御信号、例えば、各々の端末からの下りリンクチャネル品質報告、下りリンク信号に対する受信ＡＣＫ／ＮＡＣＫ、上りリンクスケジューリング要請などの伝送に使用される通信リソースを意味し、ＰＵＣＣＨ(Ｐｈｙｓｉｃａｌ Ｕｐｌｉｎｋ Ｃｏｎｔｒｏｌ Ｃｈａｎｎｅｌ)を含む。サウンディング参照信号(Ｓｏｕｎｄｉｎｇ Ｒｅｆｅｒｅｎｃｅ Ｓｉｇｎａｌ、ＳＲＳ)は１つのサブフレームで時間軸上で最後に位置するＳＣ−ＦＤＭＡシンボルを介して伝送される。同じサブフレームの最後のＳＣ−ＦＤＭＡで伝送される複数の端末のＳＲＳは、周波数位置／シーケンスによって区分できる。ＳＲＳは上りリンクのチャネル状態を基地局に伝送するために使用され、上り階層(例えば、ＲＲＣ階層)により設定されたサブフレームの周期／オフセットによって周期的に伝送されるか、或いは基地局の要請によって非周期的に伝送される。
【００９０】
次に、ＨＡＲＱ(Ｈｙｂｒｉｄ Ａｕｔｏｍａｔｉｃ Ｒｅｐｅａｔ ｒｅＱｕｅｓｔ)について説明する。無線通信システムにおいて、上り／下りリンクで伝送するデータを有する端末が多数存在する時、基地局は伝送単位時間(Ｔｒａｎｓｍｉｓｓｉｏｎ Ｔｉｍｅ Ｉｎｔｅｒｖａｌ、ＴＴＩ)(例えば、サブフレーム)ごとにデータを伝送する端末を選択する。多重搬送波及びこれと同様に運営されるシステムにおいて、基地局はＴＴＩごとに上り／下りリンクでデータを伝送する端末を選択し、該当端末がデータ伝送のために使用する周波数帯域も一緒に選択する。
【００９１】
上りリンクを基準として説明すると、複数の端末は上りリンクを介して参照信号(又はパイロット)を伝送し、基地局は端末から伝送された参照信号を用いて端末のチャネル状態を把握してＴＴＩごとに各々の単位周波数帯域において上りリンクを介してデータを伝送する端末を選択する。基地局はその結果を端末に通知する。即ち、基地局は、特定のＴＴＩに上りリンクスケジューリングされた端末に特定の周波数帯域を用いてデータを伝送せよという上りリンク割り当てメッセージ(ａｓｓｉｇｎｍｅｎｔ ｍｅｓｓａｇｅ)を伝送する。上りリンク割り当てメッセージは、ＵＬグラント(ｇｒａｎｔ)とも称される。端末は上りリンク割り当てメッセージによってデータを上りリンクに伝送する。上りリンク割り当てメッセージは、端末ＩＤ(ＵＥ Ｉｄｅｎｔｉｔｙ)、ＲＢ割り当て情報、ＭＣＳ(Ｍｏｄｕｌａｔｉｏｎ ａｎｄ Ｃｏｄｉｎｇ Ｓｃｈｅｍｅ)、ＲＶ(Ｒｅｄｕｎｄａｎｃｙ Ｖｅｒｓｉｏｎ)バージョン、新規データ指示者(Ｎｅｗ Ｄａｔａ ｉｎｄｉｃａｔｉｏｎ、ＮＤＩ)などを含む。
【００９２】
同期(Ｓｙｎｃｈｒｏｎｏｕｓ)ＨＡＲＱ方式の場合、再伝送時間はシステム的に約束されている(例えば、ＮＡＣＫ受信時点から４サブフレーム後)(同期ＨＡＲＱ)。従って、基地局が端末に送信するＵＬグラントメッセージは初期伝送時にのみ送信すればいい。その後の再伝送はＡＣＫ／ＮＡＣＫ信号(例えば、ＰＨＩＣＨ信号)により行われる。非同期ＨＡＲＱ方式の場合、再伝送時間を互いに約束していないため、基地局が端末に再伝送要請メッセージを出さなければならない。また非適応(ｎｏｎ−ａｄａｐｔｉｖｅ)ＨＡＲＱ方式の場合は、再伝送のための周波数リソースやＭＣＳは以前の伝送と同一であり、適応ＨＡＲＱ方式の場合、再伝送のための周波数リソースやＭＣＳが以前の伝送と異なることができる。一例として、非同期適応ＨＡＲＱ方式の場合、再伝送のための周波数リソースやＭＣＳが伝送時点ごとに異なるので、再伝送要請メッセージは端末ＩＤ、ＲＢ割り当て情報、ＨＡＲＱプロセスＩＤ／番号、ＲＶ、ＮＤＩ情報を含むことができる。
【００９３】
図６はＬＴＥ(−Ａ)システムにおいてＵＬ  ＨＡＲＱ動作を例示する図である。ＬＴＥ(−Ａ)システムにおいて、ＵＬ  ＨＡＲＱ方式は同期非適応ＨＡＲＱを使用する。８チャネルＨＡＲＱを使用する場合、ＨＡＲＱプロセス番号は０〜７である。ＴＴＩ(例えば、サブフレーム)ごとに１つのＨＡＲＱプロセスが動作する。図６を参照すると、基地局１１０はＰＤＣＣＨを介してＵＬグラントを端末１２０に伝送する(Ｓ６００)。端末１２０はＵＬグラントを受信した時点(例えば、サブフレーム０)から４サブフレーム後(例えば、サブフレーム４)にＵＬグラントにより指定されたＲＢ及びＭＣＳを用いて基地局１１０に上りリンクデータを伝送する(Ｓ６０２)。基地局１１０は端末１２０から受信した上りリンクデータを復号した後、ＡＣＫ／ＮＡＣＫを生成する。上りリンクデータに対する復号が失敗した場合、基地局１１０は端末１２０にＮＡＣＫを伝送する(Ｓ６０４)。端末１２０はＮＡＣＫを受信した時点から４サブフレーム後に上りリンクデータを再伝送する(Ｓ６０６)。上りリンクデータの初期伝送と再伝送は同じＨＡＲＱプロセッサが担当する(例えば、ＨＡＲＱプロセス４)。ＡＣＫ／ＮＡＣＫ情報はＰＨＩＣＨを介して伝送される。
【００９４】
図７はキャリア併合(Ｃａｒｒｉｅｒ Ａｇｇｒｅｇａｔｉｏｎ、ＣＡ)通信システムを例示する。
【００９５】
図７を参照すると、複数のＵＬ／ＤＬコンポーネントキャリア(Ｃｏｍｐｏｎｅｎｔ  Ｃａｒｒｉｅｒ、ＣＣ)はより広いＵＬ／ＤＬ帯域幅を支援することができる。ＣＣは周波数領域で互いに隣接するか隣接しない。各ＣＣの帯域幅は独立的に決定できる。ＵＬ  ＣＣの数とＤＬのＣＣの数が異なる非対称キャリアの併合も可能である。なお、制御情報は特定のＣＣを通じてのみ送受信できるように設定される。この特定のＣＣをプライマリーＣＣと称し、その他のＣＣをセカンダリーＣＣと称する。一例として、クロス−キャリアスケジューリング(ｃｒｏｓｓ−ｃａｒｒｉｅｒ ｓｃｈｅｄｕｌｉｎｇ)(又はクロス−ＣＣスケジューリング)が適用される場合、下りリンク割り当てのためのＰＤＣＣＨはＤＬ  ＣＣ＃０に伝送され、該当ＰＤＳＣＨはＤＬ  ＣＣ＃２に伝送される。用語‘コンポーネントキャリア’は等価の他の用語(例えば、キャリア、セルなど)に代替できる。
【００９６】
クロス−ＣＣスケジューリングのために、ＣＩＦ(ｃａｒｒｉｅｒ ｉｎｄｉｃａｔｏｒ ｆｉｅｌｄ)が使用される。ＰＤＣＣＨ内にＣＩＦの存在又は不在のための設定が、半−静的に端末−特定(又は端末グループ−特定)に上位階層シグナリング(例えば、ＲＲＣシグナリング)によって可能になる(ｅｎａｂｌｅ)。以下、ＰＤＣＣＨ伝送の基本事項を整理する。
【００９７】
■  ＣＩＦディセーブルド(ｄｉｓａｂｌｅｄ)：ＤＬ  ＣＣ上のＰＤＣＣＨは同じＤＬ  ＣＣ上のＰＤＳＣＨリソースを割り当てるか一つのリンクされたＵＬ  ＣＣ上のＰＵＳＣＨリソースを割り当てる
【００９８】
●  Ｎｏ  ＣＩＦ
【００９９】
■  ＣＩＦイネーブルド(ｅｎａｂｌｅｄ)：ＤＬ  ＣＣ上のＰＤＣＣＨはＣＩＦを用いて複数の併合されたＤＬ／ＵＬ  ＣＣのうち特定のＤＬ／ＵＬ  ＣＣ上のＰＤＳＣＨ又はＰＵＳＣＨリソースを割り当てることができる
【０１００】
●  ＣＩＦを有するように拡張されたＬＴＥ  ＤＣＩフォーマット
【０１０１】
−  ＣＩＦ(設定された場合)は固定されたｘ−ビットフィールド(例えば、Ｘ＝３)
【０１０２】
−  ＣＩＦ(設定された場合)の位置はＤＣＩフォーマットサイズに関係なく固定される。
【０１０３】
ＣＩＦの存在時、基地局は端末側のＢＤ複雑度を低くするために、モニタリングＤＬ  ＣＣ(セット)を割り当てることができる。ＰＤＳＣＨ／ＰＵＳＣＨスケジューリングのために、端末は該当ＤＬ  ＣＣでのみＰＤＣＣＨの検出／復号を行う。また基地局はモニタリングＤＬ  ＣＣ(セット)を通じてのみＰＤＣＣＨを伝送できる。モニタリングＤＬ  ＣＣセットは端末−特定、端末−グループ−特定又はセル−特定の方式でセットされる。
【０１０４】
図８は複数のキャリアが併合された場合のスケジューリングを例示する。３個のＤＬ  ＣＣが併合され、ＤＬ  ＣＣＡがＰＤＣＣＨモニタリングＤＬ  ＣＣに設定された場合を例示する。 ＤＬ  ＣＣＡ〜ＣはサービングＣＣ、サービングキャリア、サービングセルなどと言える。ＣＩＦがディセーブルされた場合、それぞれのＤＬ  ＣＣはＬＴＥ  ＰＤＣＣＨ規則に従ってＣＩＦなしに自分のＰＤＳＣＨをスケジュールするＰＤＣＣＨのみを送信することができる(非クロス−ＣＣ  スケジューリング)。反面、端末−特定(又は端末−グループ−特定又はセル−特定)の上位階層シグナリングによってＣＩＦが可能になると、特定のＣＣ(例えば、ＤＬ  ＣＣ  Ａ)はＣＩＦを用いてＤＬ  ＣＣ  ＡのＰＤＳＣＨをスケジューリングするＰＤＣＣＨだけではなく、他のＣＣのＰＤＳＣＨをスケジューリングするＰＤＣＣＨも伝送できる(クロス−ＣＣ  スケジューリング)。反面、ＤＬ  ＣＣ  Ｂ／ＣではＰＤＣＣＨが伝送されない。
【０１０５】
一方、次世代ＲＡＴ(Ｒａｄｉｏ Ａｃｃｅｓｓ Ｔｅｃｈｎｏｌｏｇｙ)においては、データ伝送遅延(ｌａｔｅｎｃｙ)を最小化するために、自己完結(ｓｅｌｆ−ｃｏｎｔａｉｎｅｄ)サブフレームが考えられている。図１０は自己完結サブフレームの構造を例示している。図１０において、斜線領域はＤＬ制御領域を示し、黒色部分はＵＬ制御領域を示す。その他の領域はＤＬデータ伝送又はＵＬデータ伝送のために使用される。１つのサブフレーム内でＤＬ伝送とＵＬ伝送が順に行われるので、サブフレーム内でＤＬデータを出し、ＵＬ  ＡＣＫ／ＮＡＣＫを受けることができる。結果として、データ伝送エラーの発生時にデータ再伝送までにかかる時間を短縮させることにより、最終データ伝達の遅延を最小化することができる。
【０１０６】
構成／設定が可能な自己完結サブフレームタイプの例として、少なくとも以下の４つのタイプが考えられる。各々の区間は時間順に並んでいる。
【０１０７】
−ＤＬ制御区間＋ＤＬデータ区間＋ＧＰ(Ｇｕａｒｄ Ｐｅｒｉｏｄ)＋ＵＬ制御区間
【０１０８】
−ＤＬ制御区間＋ＤＬデータ区間
【０１０９】
−ＤＬ制御区間＋ＧＰ＋ＵＬデータ区間＋ＵＬ制御区間
【０１１０】
−ＤＬ制御区間＋ＧＰ＋ＵＬデータ区間
【０１１１】
ＤＬ制御区間ではＰＤＦＩＣＨ、ＰＨＩＣＨ、ＰＤＣＣＨが伝送され、ＤＬデータ区間ではＰＤＳＣＨが伝送される。ＵＬ制御区間ではＰＵＣＣＨが伝送され、ＵＬデータ区間ではＰＵＳＣＨが伝送される。ＧＰは基地局と端末が送信モードから受信モードに転換される過程又は受信モードから送信モードに転換される過程で時間ギャップを提供する。サブフレーム内においてＤＬからＵＬに転換される時点の一部ＯＦＤＭシンボルがＧＰと設定される。
【０１１２】
実施例:Ａ／Ｎフィードバック
【０１１３】
３ＧＰＰ ＮＲシステム環境では、１つの端末に併合される複数のセルの間にＯＦＤＭニューマロロジー、例えば、副搬送波間隔(ＳＣＳ)及びそれに基づくＯＦＤＭシンボル(ＯＳ)区間(ｄｕｒａｔｉｏｎ)の設定が異なる。これにより、同じ数のシンボルで構成された時間リソース(例えば、ＳＦ、スロット又はＴＴＩ)(便宜上、ＴＵ(Ｔｉｍｅ Ｕｎｉｔ)と統称)の(絶対時間)区間が併合されたセル間の設定が異なる。ここで、シンボルはＯＦＤＭシンボル、ＳＣ−ＦＤＭＡシンボルを含む。
【０１１４】
図１０は３ＧＰＰ ＮＲに定義されたフレーム構造を例示する。ＬＴＥ／ＬＴＥ−Ａの無線フレーム構造のように(図２を参照)、３ＧＰＰ ＮＲにおいて１つの無線フレームは１０個のサブフレームで構成され、各サブフレームは１ｍｓの長さを有する。１つのサブフレームは１つ以上のスロットを含み、スロット長さはＳＣＳにより変化する。３ＧＰＰ ＮＲは１５ＫＨｚ、３０ＫＨｚ、６０ＫＨｚ、１２０ＫＨｚ、２４０ＫＨｚのＳＣＳを支援する。ここで、スロットは図９のＴＴＩに対応する。
【０１１５】
表４はＳＣＳによってスロットごとのシンボル数、フレームごとのスロット数及びサブフレームごとのスロット数が変化することを例示している。
【０１１６】
【表４】
2020532223.tif 000006
【０１１７】
既存のＬＴＥシステムにおいて(１つのＣＣ内)１つのＤＬサブフレームで送信されるＤＬデータの受信に対するＨＡＲＱ−ＡＣＫ(即ち、Ａ／Ｎ)フィードバック送信タイミング、即ち、ＤＬデータの受信時点とこれに対応するＡ／Ｎの送信時点の間の遅延(即ち、Ａ／Ｎ遅延)は、固定値に予め決定されるか、又はＲＲＣにより半−静的(Ｓｅｍｉ−ｓｔａｔｉｃ)に設定されることができる。なお、１つの端末に複数のＣＣ間のＣＡが設定される場合、該当複数のＣＣにより送信される複数のＤＬデータ受信に対応するＡ／Ｎ送信のためのＰＵＣＣＨリソースの割り当ては、まず複数の候補ＰＵＣＣＨリソースで構成されたＰＵＣＣＨセットを予めＲＲＣにより設定しておいた状態で、ＤＣＩ(例えば、ＤＬグラント)の特定フィールドにより該当ＰＵＣＣＨセット内の１つのリソースを指示する方式(即ち、ＡＣＫ／ＮＡＣＫリソース指示子、ＡＲＩ)を適用できる。この時、ＰＵＣＣＨセットを構成する候補ＰＵＣＣＨリソース(或いは、各々の候補ＰＵＣＣＨリソースに対応／マッピングされるＡＲＩ値／状態)は、端末にＣＡされた全てのＣＣに同一に設定される。
【０１１８】
なお、ＮＲシステムの場合、多様な動作周波数帯域の支援及び柔軟かつ効率的なリソースの使用などを目的として、以下のような特徴の導入を考慮している。
【０１１９】
１)直接動的に指示する方式を支援
【０１２０】
Ａ．例えば、複数の候補Ａ／Ｎ遅延値で構成されたＡ／Ｎ遅延セットをＲＲＣにより予め設定しておいた状態で、ＤＣＩ(例えば、ＤＬグラント)の特定フィールドの情報／値(例えば、ＡＣＫ／ＮＡＣＫ遅延指示子、ＡＤＩ)により該当Ａ／Ｎ遅延セット内の１つの値を指示する方式を適用できる。
【０１２１】
２)端末ごとに異なるＵＬカバレッジレベル及び／又は異なるＵＣＩペイロードサイズを考慮して、特定の数以上の(例えば、４つ以上の)シンボルで構成されたＬｏｎｇ ＰＵＣＣＨタイプ／フォーマット(例えば、ＰＵＣＣＨフォーマット１／３／４)と特定の数未満の(例えば、１つ或いは２つの)シンボルで構成されたＳｈｏｒｔ ＰＵＣＣＨタイプ／フォーマット(例えば、ＰＵＣＣＨフォーマット０／２)を全て支援
【０１２２】
Ａ．Ｌｏｎｇ ＰＵＣＣＨとＳｈｏｒｔ ＰＵＣＣＨが同じ１つのスロット内で互いにＴＤＭされて送信される形態、及び／又は複数のＳｈｏｒｔ ＰＵＣＣＨが同じ１つのスロット内で互いにＴＤＭされて送信される形態が支援できる。
【０１２３】
Ｂ．表５はＰＵＣＣＨフォーマットとＵＣＩの関係を例示する。
【０１２４】
【表５】
2020532223.tif 000007
【０１２５】
３)１つの端末に設定されるＣＡを構成するＣＣごとに適用されるＳＣＳ及び／又はＴＴＩ長さがＣＣの間に異なるように設定される形態を支援
【０１２６】
本発明では、ＮＲシステムに基づいて複数のＣＣ間のＣＡが設定された(及び／又はＡ／Ｎ送信遅延に対する動的指示が適用される)状況において、複数のＣＣにおける複数のＤＬデータ受信に対応するＨＡＲＱ−ＡＣＫフィードバックのための効率的なＰＵＣＣＨリソース割り当て及び送信方法を提案する。以下、互いに異なるＰＵＣＣＨリソースは、互いに異なる(例えば、ＵＣＩとＤＭＲＳがマッピングされるＲＥ／シンボル構造が異なる)ＰＵＣＣＨフォーマットに基づくＰＵＣＣＨリソースを意味するか、又は同一のＰＵＣＣＨフォーマットに基づく互いに異なる(例えば、周波数(例えば、ＰＲＢインデックス)、時間(例えば、シンボルインデックス)、コード(例えば、ＣＳ(ｃｙｃｌｉｃ ｓｈｉｆｔ)、ＯＣＣ(Ｏｒｔｈｏｇｏｎａｌ Ｃｏｖｅｒ Ｃｏｄｅ)シーケンス)のうちの少なくとも１つが互いに異なる値に割り当てられた)ＰＵＣＣＨリソースを意味する。
【０１２７】
[１]Ｍｅｔｈｏｄ １：ＣＣ(グループ)ごとにＡＲＩ ＰＵＣＣＨリソースセットを異なるように構成する方法
【０１２８】
この方法は、ＡＲＩ ＰＵＣＣＨリソースセットを構成するリソース(例えば、各ＡＲＩ値に対応／マッピングされるＰＵＣＣＨリソース)を各ＣＣ(グループ)ごとに個々に／独立して(例えば、異なるように)設定する方式である。例えば、ＡＲＩ ＰＵＣＣＨリソースセット内で特定の一部リソース(例えば、特定の一部のＡＲＩ値に対応／マッピングされるＰＵＣＣＨリソース)は、全てのＣＣに対して同一に構成されることができる(これを"ｃｏｍｍｏｎ−ＡＲＩ"と定義する)。反面、残りのリソース(例えば、残りのＡＲＩ値に対応／マッピングされるＰＵＣＣＨリソース)は、ＣＣ(又はＣＣグループ)の間で異なるように構成されることができる(これを"ｓｅｐａｒａｔｅ−ＡＲＩ"と定義する)。他の方法として、ＡＲＩ ＰＵＣＣＨリソースセット内の全てのリソースをＣＣ(グループ)の間で完全に異なるように構成する(例えば、ｓｅｐａｒａｔｅ−ＡＲＩのみで構成)、即ち、ＡＲＩ ＰＵＣＣＨリソースセットを構成するリソースをＣＣ(グループ)の間で完全に異なるように設定することもできる。他の方法として、ＡＲＩ ＰＵＣＣＨリソースセットを構成するＰＵＣＣＨリソース数をＣＣ(グループ)の間で異なるように構成することもできる。この場合、特定のリソースは全てのＣＣに対して共通に(例えば、ｃｏｍｍｏｎ−ＡＲＩに)設定される反面、残りのリソースは特定のＣＣ(グループ)のみに限って、(例えば、ｓｅｐａｒａｔｅ−ＡＲＩに)設定されることもできる。
【０１２９】
ここで、１つのＣＣグループは１つ以上のＣＣで構成することができる。また、全てのＣＣが同じ１つのＣＣグループ(以下、ＣＡグループ)に属するように設定することもできる。１つのＣＣは(ＣＡグループを除いた)、１)１つのＣＣグループのみに属するように設定されるか、又は２)複数のＣＣグループに重複して属するように設定されることができる。また、１つのＣＣグループはＣＣインデックス上で連続するＣＣで構成されることができる。
【０１３０】
これにより、特定のＰＵＣＣＨリソース上で送信されるＡ／Ｎペイロード(サイズ)は、該当ＰＵＣＣＨリソースがＡＲＩに設定されたＣＣ組み合わせ(数)によって、(例えば、該当ＰＵＣＣＨリソースがｃｏｍｍｏｎ−ＡＲＩに対応するＰＵＣＣＨリソースである場合)全てのＣＣに対するＡ／Ｎで構成されるか、又は(該当ＰＵＣＣＨリソースがｓｅｐａｒａｔｅ−ＡＲＩに対応するＰＵＣＣＨリソースである場合)特定のＣＣグループに対するＡ／Ｎで構成されることができる。
【０１３１】
以上では、ｓｅｐａｒａｔｅ−ＡＲＩに対応するＰＵＣＣＨリソースは、互いに異なるＣＣグループの間でＴＤＭだけを可能にして割り当てられることができる。例えば、(ｉ)複数のｌｏｎｇ ＰＵＣＣＨ、(ｉｉ)ｌｏｎｇ ＰＵＣＣＨとｓｈｏｒｔ ＰＵＣＣＨ、又は(ｉｉｉ)複数のｓｈｏｒｔ ＰＵＣＣＨが、互いに異なるシンボルのみに構成されるように割り当てることができる。或いは、ｓｅｐａｒａｔｅ−ＡＲＩに対応するＰＵＣＣＨリソースは、互いに異なるＣＣグループの間でＴＤＭ又はＦＤＭ(例えば、互いに異なるＰＲＢに構成)又はＣＤＭ(例えば、互いに異なるＣＳ／ＯＣＣが使用)されるように割り当てることもできる。ここで、ＴＤＭされた場合は、互いに異なる複数のＣＣグループに対応するＡ／Ｎを同じ１つのスロット内の複数の互いに異なるＰＵＣＣＨリソースにより全て送信できる反面、ＦＤＭ／ＣＤＭされた場合は、１つのスロット内では(複数のＣＣグループのうち)１つのＣＣグループに対応するＡ／Ｎのみを１つのＰＵＣＣＨリソースにより送信することができる。
【０１３２】
また、ＣＣグループごとに設定されるＰＵＣＣＨリソースは、該当ＣＣグループに属するＣＣ数によってＰＵＣＣＨフォーマット及び／又はＰＵＣＣＨを構成するＰＲＢ数及び／又はシンボル数などが異なるように設定されることができる。例えば、ＣＣグループに属するＣＣ数が大きいほど、より大きいサイズのＵＣＩペイロードを支援するＰＵＣＣＨフォーマット(例えば、ｌｏｎｇ ＰＵＣＣＨ)、より多い数のＰＲＢ、より多い数のシンボルに基づいて構成されたＰＵＣＣＨリソースが該当ＣＣグループに設定されることができる。逆に、ＣＣグループに属するＣＣ数が小さいほど、より小さいサイズのＵＣＩペイロードを支援するＰＵＣＣＨフォーマット(例えば、ｓｈｏｒｔ ＰＵＣＣＨ)、より少ない数のＰＲＢ、より少ない数のシンボルに基づいて構成されたＰＵＣＣＨリソースが該当ＣＣグループに設定されることができる。また、ＣＣグループごとに設定されるＰＵＣＣＨリソースのシンボル位置も該当ＣＣグループに属するＣＣ数によって異なるように設定されることができる。例えば、ＣＣグループに属するＣＣ数が大きいほど、(スロット内)より低いインデックスを有するシンボルに構成されたＰＵＣＣＨフォーマット／リソース(例えば、ｌｏｎｇ ＰＵＣＣＨ)が該当ＣＣグループに設定されることができる。逆に、ＣＣグループに属するＣＣ数が小さいほど、(スロット内)より高いインデックスを有するシンボルに構成されたＰＵＣＣＨフォーマット／リソース(例えば、ｓｈｏｒｔ ＰＵＣＣＨ)が該当ＣＣグループに設定されることができる。
【０１３３】
なお、同じスロット内のＰＵＣＣＨリソースを指示するＡＲＩの場合、１)全てのＣＣに対してｃｏｍｍｏｎ−ＡＲＩのみがシグナリングされるか、又は２)各ＣＣグループごとにｓｅｐａｒａｔｅ−ＡＲＩのみがシグナリングされることができる。１)の場合、例えば、任意のＣＣをスケジューリングする全てのＤＬグラントＤＣＩによりｃｏｍｍｏｎ−ＡＲＩがシグナリングされることができる。２)の場合、例えば、各々のＣＣグループに属するＣＣをスケジューリングするＤＬグラントＤＣＩによりｓｅｐａｒａｔｅ−ＡＲＩがシグナリングされることができる。
【０１３４】
提案方法の一例として、ＣＣ１からＣＣ４までの総４つのＣＣでＣＡが設定され、Ａ１からＡ４までの総４つのＡＲＩ値に対応するＰＵＣＣＨリソースセットが設定され、Ｐ１からＰ８までの総８つのＰＵＣＣＨリソースを仮定する場合、以下のようなＰＵＣＣＨセットの設定が可能である。
【０１３５】
１)ＣＣ１に設定されたＰＵＣＣＨセット：{Ａ１、Ａ２、Ａ３、Ａ４}＝{Ｐ１、Ｐ２、Ｐ３、Ｐ５}
【０１３６】
２)ＣＣ２に設定されたＰＵＣＣＨセット：{Ａ１、Ａ２、Ａ３、Ａ４}＝{Ｐ１、Ｐ２、Ｐ３、Ｐ６}
【０１３７】
３)ＣＣ３に設定されたＰＵＣＣＨセット：{Ａ１、Ａ２、Ａ３、Ａ４}＝{Ｐ１、Ｐ２、Ｐ４、Ｐ７}
【０１３８】
４)ＣＣ４に設定されたＰＵＣＣＨセット：{Ａ１、Ａ２、Ａ３、Ａ４}＝{Ｐ１、Ｐ２、Ｐ４、Ｐ８}
【０１３９】
これらの例によって、Ｐ１又はＰ２上で送信されるＡ／Ｎペイロード(サイズ)は、Ｐ１／Ｐ２がＡＲＩ(Ａ１又はＡ２)に設定されたＣＣ組み合わせ(数)、即ち、全てのＣＣに該当する{ＣＣ１、ＣＣ２、ＣＣ３、ＣＣ４}に対応するＡ／Ｎで構成されることができる。また、Ｐ３又はＰ４上で送信されるＡ／Ｎペイロード(サイズ)は、Ｐ３／Ｐ４がＡＲＩ(Ａ３)に設定されたＣＣ組み合わせ(数)、即ち、特定のＣＣグループに該当する{ＣＣ１、ＣＣ２}又は{ＣＣ３、ＣＣ４}に対応するＡ／Ｎで構成されることができる。また、Ｐ５／Ｐ６／Ｐ７／Ｐ８の各々で送信されるＡ／Ｎペイロード(サイズ)は、該当各ＰＵＣＣＨリソースがＡＲＩ(Ａ４)に設定されたＣＣ、即ち、{ＣＣ１}、{ＣＣ２}、{ＣＣ３}又は{ＣＣ４}に対応するＡ／Ｎで構成されることができる。ここで、ＣＣｘに対応するＡ／Ｎは、ＣＣｘにおけるＤＬ信号(例えば、データ)受信に対するＡ／Ｎを意味する。
【０１４０】
さらに、動的Ａ／Ｎペイロード(コードブック)構成のために、特定のＣＣにより送信されるＤＬデータが(ＣＣインデックスを基準として)何番目にスケジューリングされたか(及び／又は(現在のスロットまで)全体いくつのＤＬデータがスケジューリングされたか)をＤＬグラントＤＣＩにより知らせるｃｏｕｎｔｅｒ−ＤＡＩ(及び／又はｔｏｔａｌ−ＤＡＩ)シグナリングを適用する状況を考慮できる。この時、ＤＣＩによりｃｏｍｍｏｎ−ＡＲＩが指示された場合は、全てのＣＣに対してＤＡＩ値が決定／シグナリングされる反面、ｓｅｐａｒａｔｅ−ＡＲＩが指示された場合には、各ＣＣグループごとに該当ＣＣグループに属するＣＣに対してのみＤＡＩ値が決定／シグナリングされる。
【０１４１】
この提案方法は、ＡＲＩ ＰＵＣＣＨリソースセットを構成するリソースの各々に対応するＣＣグループ(例えば、全てのＣＣに該当するか、それとも特定の一部のＣＣのみに該当するか)を個々に／独立して(例えば、異なるように)設定する方式として考えられることができる。
【０１４２】
[２]Ｍｅｔｈｏｄ ２：Ａ／Ｎ遅延ごとにＡＲＩ ＰＵＣＣＨリソースセットを異なるように構成する方法
【０１４３】
この方法は、ＡＲＩ ＰＵＣＣＨリソースセットを構成するリソース(例えば、各ＡＲＩ値に対応／マッピングされるＰＵＣＣＨリソース)を各Ａ／Ｎ遅延(グループ)ごとに個々に／独立して(例えば、異なるように)設定する方式である。例えば、ＡＲＩ ＰＵＣＣＨリソースセット内で特定の一部のリソース(例えば、特定の一部のＡＲＩ値に対応／マッピングされるＰＵＣＣＨリソース)は、全てのＡ／Ｎ遅延(即ち、ＤＤ)に対して同一に構成されることができる(これを"ｃｏｍｍｏｎ−ＡＲＩ"と定義する)。反面、残りのリソース(例えば、残りのＡＲＩ値に対応／マッピングされるＰＵＣＣＨリソース)は、ＤＤ(又はＤＤグループ)の間で異なるように構成されることができる(これを"ｓｅｐａｒａｔｅ−ＡＲＩ"と定義する)。他の方法として、ＡＲＩ ＰＵＣＣＨリソースセット内の全てのリソースをＤＤ(グループ)の間で完全に異なるように構成することもできる。
【０１４４】
ここで、１つのＤＤグループは１つ以上のＤＤで構成することができる。また、全てのＤＤが同じ１つのＤＤグループ(以下、ＤＡグループ)に属するように設定されることもできる。１つのＤＤは(ＤＡグループを除いた)、１)１つのＤＤグループのみに属するように設定されるか、又は２)複数のＤＤグループに重複して属するように設定されることができる。また、１つのＤＤグループは(Ａ／Ｎ遅延セット内のＤＤを)遅延値のサイズ順にインデクシングした時、ＤＤインデックス上で連続するＤＤで構成されることができる。
【０１４５】
これにより、ＰＵＣＣＨリソース上で送信されるＡ／Ｎペイロード(サイズ)は、該当ＰＵＣＣＨリソースがＡＲＩに設定されたＤＤ組み合わせ(数)によって、(該当ＰＵＣＣＨリソースがｃｏｍｍｏｎ−ＡＲＩに対応するＰＵＣＣＨリソースである場合)全てのＤＤに対するＡ／Ｎで構成されるか、又は(該当ＰＵＣＣＨリソースがｓｅｐａｒａｔｅ−ＡＲＩに対応するＰＵＣＣＨリソースである場合)特定のＤＤグループに対するＡ／Ｎで構成されることができる。
【０１４６】
以上では、ｓｅｐａｒａｔｅ−ＡＲＩに対応するＰＵＣＣＨリソースは、互いに異なるＤＤグループの間でＴＤＭだけを可能にして(例えば、複数のｌｏｎｇ ＰＵＣＣＨが、又はｌｏｎｇ ＰＵＣＣＨとｓｈｏｒｔ ＰＵＣＣＨが、又は複数のｓｈｏｒｔ ＰＵＣＣＨが互いに異なるシンボルのみに構成されるように)割り当てることができる。例えば、(ｉ)複数のｌｏｎｇ ＰＵＣＣＨ、(ｉｉ)ｌｏｎｇ ＰＵＣＣＨとｓｈｏｒｔ ＰＵＣＣＨ、又は(ｉｉｉ)複数のｓｈｏｒｔ ＰＵＣＣＨが、互いに異なるシンボルのみに構成されるように割り当てることができる。或いは、ｓｅｐａｒａｔｅ−ＡＲＩに対応するＰＵＣＣＨリソースは、ＴＤＭ又はＦＤＭ(例えば、互いに異なるＰＲＢに構成)又はＣＤＭ(例えば、互いに異なるＣＳ／ＯＣＣが使用)されるように割り当てることができる。ここで、ＴＤＭされた場合には、互いに異なる複数のＤＤグループに対応するＡ／Ｎを同じ１つのスロット内の複数の互いに異なるＰＵＣＣＨリソースにより全て送信できる反面、ＦＤＭ／ＣＤＭされた場合は、１つのスロット内では(複数のＤＤグループのうち)１つのＤＤグループに対応するＡ／Ｎのみを１つのＰＵＣＣＨリソースにより送信することができる。
【０１４７】
また、ＤＤグループごとに設定されるＰＵＣＣＨリソースは、該当ＤＤグループに属するＤＤ数(及び／又は各々の遅延値)によってＰＵＣＣＨフォーマット及び／又はＰＵＣＣＨを構成するＰＲＢ数及び／又はシンボル数などが異なるように設定されることができる。例えば、ＤＤグループに属するＤＤ数(及び／又は各々の遅延値)が大きいほど、より大きいサイズのＵＣＩペイロードを支援するＰＵＣＣＨフォーマット(例えば、ｌｏｎｇ ＰＵＣＣＨ)、より多い数のＰＲＢ、より多い数のシンボルに基づいて構成されたＰＵＣＣＨリソースが該当ＤＤグループに設定されることができる。逆に、ＤＤグループに属するＤＤ数(及び／又は各々の遅延値)が小さいほど、より小さいサイズのＵＣＩペイロードを支援するＰＵＣＣＨフォーマット(例えば、ｓｈｏｒｔ ＰＵＣＣＨ)、より少ない数のＰＲＢ、より少ない数のシンボルに基づいて構成されたＰＵＣＣＨリソースが該当ＤＤグループに設定されることができる。また、ＤＤグループごとに設定されるＰＵＣＣＨリソースのシンボル位置は、該当ＤＤグループに属するＡ／Ｎ遅延値(及び／又はＤＤ数)によって異なるように設定されることができる。例えば、ＤＤグループに属するＡ／Ｎ遅延値(及び／又はＤＤ数)が大きいほど、(スロット内)より低いインデックスを有するシンボルに構成されたＰＵＣＣＨフォーマット／リソース(例えば、ｌｏｎｇ ＰＵＣＣＨ)が該当ＤＤグループに設定されることができる。逆に、ＤＤグループに属するＡ／Ｎ遅延値(及び／又はＤＤ数)が小さいほど、(スロット内)より高いインデックスを有するシンボルに構成されたＰＵＣＣＨフォーマット／リソース(例えば、ｓｈｏｒｔ ＰＵＣＣＨ)が該当ＤＤグループに設定されることができる。
【０１４８】
なお、同じスロット内のＰＵＣＣＨリソースを指示するＡＲＩの場合、１)全てのＤＤに対してｃｏｍｍｏｎ−ＡＲＩのみがシグナリングされるか、又は２)各ＤＤグループごとにｓｅｐａｒａｔｅ−ＡＲＩのみがシグナリングされることができる。１)の場合、例えば、任意のＤＤをＤＬデータに対するＡ／Ｎ遅延で指示する全てのＤＬグラントＤＣＩによりｃｏｍｍｏｎ−ＡＲＩのみがシグナリングされることができる。２)の場合は、例えば、各ＤＤグループに属するＤＤをＤＬデータに対するＡ／Ｎ遅延で指示するＤＬグラントＤＣＩによりｓｅｐａｒａｔｅ−ＡＲＩのみがシグナリングされることができる。
【０１４９】
提案方法の一例として、ＤＤ１からＤＤ４までの総４つのＤＤでＡ／Ｎ遅延セットが設定され、Ａ１からＡ４までの総４つのＡＲＩ値に対応するＰＵＣＣＨリソースセットが設定され、Ｐ１からＰ５までの総５つのＰＵＣＣＨリソースを仮定する場合、以下のようなＰＵＣＣＨセットの設定が可能である。
【０１５０】
１)ＤＤ１に設定されたＰＵＣＣＨセット：{Ａ１、Ａ２、Ａ３、Ａ４}＝{Ｐ１、Ｐ２、Ｐ３、Ｐ４}
【０１５１】
２)ＤＤ２に設定されたＰＵＣＣＨセット：{Ａ１、Ａ２、Ａ３、Ａ４}＝{Ｐ１、Ｐ２、Ｐ３、Ｐ４}
【０１５２】
３)ＤＤ３に設定されたＰＵＣＣＨセット：{Ａ１、Ａ２、Ａ３、Ａ４}＝{Ｐ１、Ｐ２、Ｐ３、Ｐ５}
【０１５３】
４)ＤＤ４に設定されたＰＵＣＣＨセット：{Ａ１、Ａ２、Ａ３、Ａ４}＝{Ｐ１、Ｐ２、Ｐ３、Ｐ５}
【０１５４】
これらの例によって、Ｐ１、Ｐ２又はＰ３上で送信されるＡ／Ｎペイロード(サイズ)は、Ｐ１／Ｐ２／Ｐ３がＡＲＩ(Ａ１、Ａ２又はＡ３)に設定されたＤＤ組み合わせ(数)、即ち、全てのＤＤに該当する{ＤＤ１、ＤＤ２、ＤＤ３、ＤＤ４}に対応する(スロットにおけるＤＬデータ受信に対する)Ａ／Ｎで構成されることができる。また、Ｐ４又はＰ５上で送信されるＡ／Ｎペイロード(サイズ)は、Ｐ４／Ｐ５がＡＲＩ(Ａ４)に設定されたＤＤ組み合わせ(数)、即ち、特定のＤＤグループに該当する{ＤＤ１、ＤＤ２}又は{ＤＤ３、ＤＤ４}に対応するＡ／Ｎで構成されることができる。ここで、ＤＤｘに対応するＡ／Ｎは、ＤＤｘに対応するスロットにおけるＤＬ信号(例えば、データ)受信に対するＡ／Ｎを意味する。
【０１５５】
さらに、動的Ａ／Ｎペイロード(コードブック)構成のために、特定のＤＤに対応するスロットにより送信されるＤＬデータが(ＤＤ／スロットインデックスを基準として)何番目にスケジューリングされたか(及び／又は(現在のスロットまで)全体いくつのＤＬデータがスケジューリングされたか)をＤＬグラントＤＣＩにより知らせるｃｏｕｎｔｅｒ−ＤＡＩ(及び／又はｔｏｔａｌ−ＤＡＩ)シグナリングを適用する状況を考慮できる。この時、ＤＣＩによりｃｏｍｍｏｎ−ＡＲＩが指示された場合は、全てのＤＤに対してＤＡＩ値が決定／シグナリングされる反面、ｓｅｐａｒａｔｅ−ＡＲＩが指示された場合には、各ＤＤグループごとに該当ＤＤグループに属するＤＤに対してのみＤＡＩ値が決定／シグナリングされる。
【０１５６】
この提案方法は、ＡＲＩ ＰＵＣＣＨリソースセットを構成するリソースの各々に対応するＤＤグループ(例えば、全てのＤＤに該当するか、それとも特定の一部のＤＤにのみ該当するか)を個々に／独立して(例えば、異なるように)設定する方式として考えられることができる。
【０１５７】
Ｍｅｔｈｏｄ １とＭｅｔｈｏｄ ２は互いに結合した形態で適用することができる。例えば、ＡＲＩ ＰＵＣＣＨリソースセットを構成するリソース(例えば、各ＡＲＩ値に対応／マッピングされるＰＵＣＣＨリソース)を、各ＣＣ(グループ)に設定された各ＤＤ(グループ)ごとに個々に／独立して(例えば、異なるように)設定する方式も可能である。他の方法として、ＡＲＩ ＰＵＣＣＨリソースセットを構成するリソースの各々に対応するＣＣグループとＤＤグループの組み合わせを個々に／独立して(例えば、異なるように)設定する方式も可能である。
【０１５８】
[３]Ｍｅｔｈｏｄ ３：ＰＵＣＣＨリソース／フォーマットごとの最大ＵＣＩコードレート／ペイロードサイズの設定
【０１５９】
ＮＲシステムでは、待ち時間及びカバレッジに関連する要求を満たすために、以下のような様々なＰＵＣＣＨフォーマットの支援を考慮している。
【０１６０】
１)ＰＵＣＣＨフォーマットＳ０(Ｓｈｏｒｔ ０)(表５のｆｏｒｍａｔ ０を参照)
【０１６１】
Ａ．支援可能なＵＣＩペイロードサイズ：Ｋビットまで(例えば、Ｋ＝２)
【０１６２】
Ｂ．単一のＰＵＣＣＨを構成するＯＦＤＭシンボル数：１〜Ｘシンボル(例えば、Ｘ＝２)
【０１６３】
Ｃ．送信構造：ＤＭＲＳなしにＵＣＩ信号のみで構成され、複数の特定のシーケンスのうちの１つを選択／送信することにより、特定のＵＣＩ状態を送信する構造である。
【０１６４】
２)ＰＵＣＣＨフォーマットＳ１(Ｓｈｏｒｔ １)(表５のｆｏｒｍａｔ ２を参照)
【０１６５】
Ａ．支援可能なＵＣＩペイロードサイズ：Ｋビット以上(例えば、Ｋ＝２)
【０１６６】
Ｂ．単一のＰＵＣＣＨを構成するＯＦＤＭシンボル数：１〜Ｘシンボル(例えば、Ｘ＝２)
【０１６７】
Ｃ．送信構造：ＤＭＲＳとＵＣＩが同じシンボル内でＦＤＭ形態で構成／マッピングされ、符号化されたＵＣＩビットにＤＦＴなしにＩＦＦＴのみを適用して送信される構造である。
【０１６８】
３)ＰＵＣＣＨフォーマットＬ０(ｌｏｎｇ ０)(表５のｆｏｒｍａｔ １を参照)
【０１６９】
Ａ．支援可能なＵＣＩペイロードサイズ：Ｋビットまで(例えば、Ｋ＝２)
【０１７０】
Ｂ．単一のＰＵＣＣＨを構成するＯＦＤＭシンボル数：Ｙ〜Ｚシンボル(例えば、Ｙ＝４、Ｚ＝１４)
【０１７１】
Ｃ．送信構造：ＤＭＲＳとＵＣＩが互いに異なるシンボルにＴＤＭ形態で構成／マッピングされ、ＵＣＩは特定のシーケンスに変調(例えば、ＱＰＳＫ)シンボルを乗ずる形態であり、ＵＣＩとＤＭＲＳの全てにＣＳ／ＯＣＣを適用して(同一のＲＢ内で)複数の端末間の多重化を支援できる。
【０１７２】
４)ＰＵＣＣＨフォーマットＬ１(ｌｏｎｇ １)(表５のｆｏｒｍａｔ ４を参照)
【０１７３】
Ａ．支援可能なＵＣＩペイロードサイズ：Ｋビット以上(例えば、Ｋ＝２)
【０１７４】
Ｂ．単一のＰＵＣＣＨを構成するＯＦＤＭシンボル数：Ｙ〜Ｚシンボル(例えば、Ｙ＝４、Ｚ＝１４)
【０１７５】
Ｃ．送信構造：ＤＭＲＳとＵＣＩが互いに異なるシンボルにＴＤＭ形態で構成／マッピングされ、符号化されたＵＣＩビットにＤＦＴを適用して送信する形態であり、ＵＣＩにはＤＦＴ(Ｄｉｓｃｒｅｔｅ Ｆｏｕｒｉｅｒ Ｔｒａｎｓｆｏｒｍ)の前端でＯＣＣを適用し、ＤＭＲＳにはＣＳ(又はＩＦＤＭマッピング)を適用して複数の端末間の多重化を支援できる。
【０１７６】
５)ＰＵＣＣＨフォーマットＬ２(ｌｏｎｇ ２)(表５のｆｏｒｍａｔ ３を参照)
【０１７７】
Ａ．支援可能なＵＣＩペイロード サイズ：Ｋビット以上(例えば、Ｋ＝２)
【０１７８】
Ｂ．単一のＰＵＣＣＨを構成するＯＦＤＭシンボル数：Ｙ〜Ｚシンボル(例えば、Ｙ＝４、Ｚ＝１４)
【０１７９】
Ｃ．送信構造：ＤＭＲＳとＵＣＩが互いに異なるシンボルにＴＤＭ形態で構成／マッピングされ、符号化されたＵＣＩビットにＤＦＴを適用して端末間で多重化なしに送信される構造であることができる。
【０１８０】
上記のようなＰＵＣＣＨフォーマットに基づいて、１)１つ以上のＰＵＣＣＨフォーマット間の組み合わせごとに支援可能な最大のＵＣＩペイロードサイズ、支援可能なＵＣＩペイロードサイズ範囲、又は最大のＵＣＩコードレートを(端末−特定に)設定することができる。及び／又は、２)ＰＵＣＣＨフォーマット組み合わせ(又は該当組み合わせに設定されたＵＣＩペイロードサイズ、最大のＵＣＩコードレート)ごとにＡＲＩ ＰＵＣＣＨリソースセットを構成／設定することができる。一例として、以下のようなＰＵＣＣＨフォーマット組み合わせを考えることができる。
【０１８１】
１)Ｃａｓｅ １：４つの組み合わせ
【０１８２】
Ａ．{Ｓ０、Ｌ０}、{Ｓ１}、{Ｌ１}、{Ｌ２}
【０１８３】
２)Ｃａｓｅ ２：３つの組み合わせ
【０１８４】
Ａ．{Ｓ０、Ｌ０}、{Ｓ１、Ｌ１}、{Ｌ２}
【０１８５】
３)Ｃａｓｅ ３：３つの組み合わせ
【０１８６】
Ａ．{Ｓ０、Ｌ０}、{Ｓ１}、{Ｌ１、Ｌ２}
【０１８７】
一方、ＮＲシステムではＵＬリソースの柔軟性を考慮して、１つの端末に周波数ホッピング(Ｆｒｅｑｕｅｎｃｙ Ｈｏｐｐｉｎｇ、ＦＨ)が有効になった(ｅｎａｂｌｅ)形態のＰＵＣＣＨリソースと無効になった(ｄｉｓａｂｌｅ)形態のＰＵＣＣＨリソースを全て設定することを考慮できる。この場合、ＦＨ−ｅｎａｂｌｅｄ ＰＵＣＣＨとＦＨ−ｄｉｓａｂｌｅｄ ＰＵＣＣＨの間のパフォーマンス(例えば、コーディング、ダイバーシティ)利得が異なることができる。これを勘案して、(同一のＰＵＣＣＨフォーマットに対して)ＦＨ−ｅｎａｂｌｅｄ ＰＵＣＣＨとＦＨ−ｄｉｓａｂｌｅｄ ＰＵＣＣＨの間に支援可能な最大のＵＣＩコードレート(又は最大のＵＣＩペイロードサイズ)を個々に設定することができる。さらに、(同一のＰＵＣＣＨフォーマットについて)ＦＨ−ｅｎａｂｌｅｄ ＰＵＣＣＨとＦＨ−ｄｉｓａｂｌｅｄ ＰＵＣＣＨの間にＡＲＩ ＰＵＣＣＨリソースセットを個々に設定する方法も可能である。
【０１８８】
[４]Ｍｅｔｈｏｄ ４：ＣＣ内における動作ＢＷＰ(Ｂａｎｄｗｉｄｔｈ ｐａｒｔ)スイッチングを考慮したＰＵＣＣＨリソース割り当て
【０１８９】
ＮＲシステムでは、端末の省エネルギー及び動作周波数の柔軟性などを目的として、(各ＣＣごとに)１つのＣＣ内に複数のＢＷＰを予めＲＲＣなどの上位階層シグナリングにより半−静的に構成することができる。ＢＷＰは連続する周波数リソース(例えば、連続する複数のＲＢ)で構成され、各々のＢＷＰは異なるサイズのＳＣＳ又はＴＵを有することができる。かかる状態で、複数のＢＷＰのうちの１つをＤＣＩ又はＭＡＣ ＣＥなどのＬ１シグナリングにより動的に活性化する方式が考えられる。これにより、端末はａｃｔｉｖｅ ＢＷＰによりＤＬ／ＵＬ信号／チャネル送受信動作を行うことができる。ここで、ＢＷＰのＢＷ(ｂａｎｄｗｉｄｔｈ)は該当ＣＣの全体ＢＷより小さいか又は等しい。
【０１９０】
また、(複数のＣＣ間のＣＡ状況において)ＵＣＩ ＰＵＣＣＨ送信を行うように指定されたＣＣ(以下、ＰＣＣと定義)の場合にも、ＰＣＣ内に設定された複数のＢＷＰ間の動的スイッチングに基づいてＵＣＩ ＰＵＣＣＨ送信を行う動作が支援される必要がある。これに関連して、基地局から送信されたＤＬスケジューリンググラントＤＣＩに対する端末の検出失敗などによりＰＵＣＣＨが送信されるＢＷＰに対して端末と基地局の間で不一致が生じることができ、これはＵＣＩ送信性能の低下及び非効率的なシステムリソースの使用を招来することができる。
【０１９１】
以下、ＰＣＣ内における動的ＢＷＰスイッチング動作を考慮して以下のようなＰＵＣＣＨリソース割り当て方法を提案する。基本的に、任意のＣＣ(即ち、(ｉ)ＰＣＣと(ｉｉ)ＰＣＣではない一般ＣＣをいずれも含む)をスケジューリングするＤＬグラントＤＣＩによりＰＵＣＣＨ送信が行われる(ＰＣＣ内の)ＢＷＰ(インデックス)を指示する方式が考えられる。この場合、同じ１つのＰＵＣＣＨ送信に対応する(複数のＣＣ／スロットをスケジューリングする)複数のＤＬグラントＤＣＩにより指示されるＰＵＣＣＨ送信ＢＷＰ(インデックス)は、該当ＤＬグラントＤＣＩの全てにおいて同一に規定することができる。これにより、端末は該当ＤＬグラントＤＣＩがいずれも同一のＰＵＣＣＨ送信ＢＷＰ(インデックス)を指示すると仮定した状態で動作することができる。具体的には、以下のような方法が考えられる。
【０１９２】
１)方法１
【０１９３】
Ａ．ＤＬグラントＤＣＩによりＰＵＣＣＨ送信を行う(ＰＣＣ内の)ＢＷＰ(インデックス)を指示する。
【０１９４】
Ｂ．基本的に(ＰＣＣ内の)各ＢＷＰごとに１つ又は複数のＡＲＩ ＰＵＣＣＨリソースセットが設定される。どのＡＲＩセット又はどのＰＵＣＣＨリソースを使用してＵＣＩ送信を行うかに関する指示は、ＢＷＰ指示に使用されるフィールドとは異なる他のフィールドを用いて行われる。
【０１９５】
Ｃ．同じ１つのＰＵＣＣＨ送信に対応する(複数のＣＣ／スロットをスケジューリングする)複数のＤＬグラントＤＣＩにより指示される、ＰＵＣＣＨ送信ＢＷＰ(インデックス)は、該当ＤＬグラントＤＣＩの全てにおいて同一に規定されることができる。例えば、端末は該当ＤＬグラントＤＣＩがいずれも同じＰＵＣＣＨ送信ＢＷＰ(インデックス)を指示すると仮定した状態で動作することができる。
【０１９６】
２)方法２
【０１９７】
Ａ．ＡＲＩ ＰＵＣＣＨリソースセット又はＡＲＩセット内の各ＰＵＣＣＨリソースごとに該当ＰＵＣＣＨセット又はＰＵＣＣＨリソースが(ＰＣＣ内の)どのＢＷＰ(インデックス)内に構成／割り当てられるかを設定されることができる。
【０１９８】
Ｂ．ＤＬグラントＤＣＩによっては、どのＡＲＩセット又はＰＵＣＣＨリソースを使用してＵＣＩ送信を行うかに関する指示のみが行われる。これにより、ＰＵＣＣＨ送信ＢＷＰがそのまま決定されることができる。
【０１９９】
Ｃ．同じ１つのＰＵＣＣＨ送信に対応する(複数のＣＣ／スロットをスケジューリングする)複数のＤＬグラントＤＣＩにより指示される、ＰＵＣＣＨリソースが構成／割り当てられたＢＷＰ(インデックス)は、該当ＤＬグラントＤＣＩの全てにおいて同一に規定することができる。例えば、端末は該当ＤＬグラントＤＣＩがいずれも同じＰＵＣＣＨリソース及びＢＷＰ(インデックス)を指示すると仮定した状態で動作することができる。
【０２００】
[５]Ｍｅｔｈｏｄ ５：半−静的(Ｓｅｍｉ−ｓｔａｔｉｃ)ＨＡＲＱ−ＡＣＫコードブック設定時のＡ／Ｎフォールバック(ｆａｌｌｂａｃｋ)動作
【０２０１】
ＮＲシステムにおいて、半−静的Ａ／Ｎコードブックの設定時、１つのスロット内の１つのＰＵＣＣＨを介して送信される(最大)Ａ／Ｎペイロード(サイズ)は、端末に設定された全てのＣＣ及びＡ／Ｎ送信タイミングが指示可能な全てのＤＬスケジューリングスロット(又はＰＤＳＣＨ送信スロット又はＰＤＣＣＨモニタリングスロット)の組み合わせ(以下、バンドリングウィンドウ)に対応するＡ／Ｎビット数により決定できる。即ち、半−静的Ａ／Ｎコードブック方式は、実際にスケジューリングされたＤＬデータ数に関係なく、Ａ／Ｎコードブックのサイズが(最大値に)固定される方式である。例えば、ＤＬグラントＤＣＩ(ＰＤＣＣＨ)には、ＰＤＳＣＨ−ｔｏ−Ａ／Ｎタイミング情報が含まれ、ＰＤＳＣＨ−ｔｏ−Ａ／Ｎタイミング情報は複数の値のうちの１つ(例えば、ｋ)を有することができる。例えば、ＰＤＳＣＨがスロット＃ｍで受信され、ＰＤＳＣＨをスケジューリングするＤＬグラントＤＣＩ(ＰＤＣＣＨ)内のＰＤＳＣＨ−ｔｏ−Ａ／Ｎタイミング情報がｋを指示する場合、ＰＤＳＣＨに対するＡ／Ｎ情報はスロット＃(ｍ＋ｋ)で送信されることができる。一例として、ｋ∈{１、２、３、４、５、６、７、８}と与えられることができる。一方、Ａ／Ｎ情報がスロット＃ｎで送信される場合、Ａ／Ｎ情報はバンドリングウィンドウを基準としてできる限り最大のＡ／Ｎを含むことができる。即ち、スロット＃ｎのＡ／Ｎ情報はスロット＃(ｎ−ｋ)に対応するＡ／Ｎを含むことができる。例えば、ｋ∈{１、２、３、４、５、６、７、８}の場合、スロット＃ｎのＡ／Ｎ情報は実際のＤＬデータ受信に関係なく、スロット＃(ｎ−８)〜スロット＃(ｎ−１)に対応するＡ／Ｎを含む(即ち、最大数のＡ／Ｎ)。ここで、Ａ／Ｎ情報はＡ／Ｎコードブック、Ａ／Ｎペイロードに代替できる。また、スロットはＤＬデータ受信のための候補機会(ｏｃｃａｓｉｏｎ)として理解／代替できる。例示したように、バンドリングウィンドウはＡ／Ｎスロットを基準としてＰＤＳＣＨ−ｔｏ−Ａ／Ｎタイミングに基づいて決定され、ＰＤＳＣＨ−ｔｏ−Ａ／Ｎタイミングセットは既に定義された値を有するか(例えば、{１、２、３、４、５、６、７、８})、又は上位階層(ＲＲＣ)シグナリングにより設定される。
【０２０２】
しかし、Ａ／Ｎコードブック構成方式により半−静的Ａ／Ｎコードブックで設定された場合、上記のように実際スケジューリングされたＤＬデータ数に関係なく常に最大サイズのＡ／Ｎペイロードを送信する動作は、少なくともＰＵＣＣＨリソース使用面において非効率的であることができる。
【０２０３】
これを勘案して、半−静的Ａ／Ｎコードブックの設定状況で以下のような(ＰＵＣＣＨ)Ａ／Ｎフォールバック動作を考慮することができる。以下、ＰＤＳＣＨ／ＰＤＣＣＨ(例えば、ｉｎｄｉｃａｔｉｎｇ ＳＰＳ(ＰＤＳＣＨ) ｒｅｌｅａｓｅ)は、(ｉ)ＰＤＳＣＨ又は(或いは及び／又は)(ｉｉ)ＳＰＳ(ＰＤＳＣＨ) ｒｅｌｅａｓｅを指示するＰＤＣＣＨを示し、ＤＬデータやＡ／Ｎフィードバックが必要なＤＬ信号に一般化されることができる。
【０２０４】
(１)Ａｌｔ １：ＰＣＣ(又はＰＣｅｌｌ)に対応するバンドリングウィンドウ内の特定の１つの(例えば、最初又は最後)スロット(又は任意の１つのスロット)を通じてのみ１つのＰＤＳＣＨ／ＰＤＣＣＨ(例えば、ｉｎｄｉｃａｔｉｎｇ ＳＰＳ ｒｅｌｅａｓｅ)のみを受信した場合、端末は該当ＰＤＳＣＨ／ＰＤＣＣＨに対応するＡ／Ｎのみを該当Ａ／Ｎビット数に対応するＰＵＣＣＨフォーマット／リソースを通じて送信することができる。
【０２０５】
(２)Ａｌｔ ２：ＰＣＣ(又はＰＣｅｌｌ)に対応するバンドリングウィンドウ内の特定の１つの(例えば、最初又は最後)スロット(又は任意の１つのスロット)を通じてのみ１つのＰＤＳＣＨ／ＰＤＣＣＨ(例えば、ｉｎｄｉｃａｔｉｎｇ ＳＰＳ ｒｅｌｅａｓｅ)のみを受信した場合、及び／又は該当ＰＤＳＣＨ／ＰＤＣＣＨに対応するＡ／Ｎビット数がＸ(例えば、２)以下である場合、端末は該当ＰＤＳＣＨ／ＰＤＣＣＨに対応するＡ／Ｎのみを該当Ａ／Ｎビット数に対応するＰＵＣＣＨフォーマット／リソースを通じて送信することができる。Ａｌｔ １とは異なり、Ａｌｔ ２は１つのＰＤＳＣＨ／ＰＤＣＣＨが特定のＤＣＩフォーマットにスケジューリングされた場合に制限されることができる。ここで、特定のＤＣＩフォーマットは、以下のＤＣＩ ｔｙｐｅ ０のように、ＤＣＩフィールド構成が設定(ｃｏｎｆｉｇｕｒａｂｌｅ)可能ではないフォールバックＤＣＩフォーマットであることができる。ここで、ＰＤＳＣＨがＤＣＩフォーマットＸにスケジューリングされるとは、ＰＤＳＣＨをスケジューリングするＰＤＣＣＨがＤＣＩフォーマットＸを有することを意味する。また、ＰＤＣＣＨがＤＣＩフォーマットＸにスケジューリングされるとは、該当ＰＤＣＣＨがＤＣＩフォーマットＸを有することを意味する。ＰＤＳＣＨ／ＰＤＣＣＨがＤＣＩフォーマットＸにスケジューリングされるとは、ＰＤＳＣＨ／ＰＤＣＣＨがＤＣＩフォーマットＸに対応すると表現することができる。
【０２０６】
(３)Ａｌｔ ３：ＰＣＣ(又はＰＣｅｌｌ)に対応するバンドリングウィンドウ(又は該当区間内の特定のスロット集合)を通じてのみ少なくとも１つのＰＤＳＣＨ／ＰＤＣＣＨ(例えば、ｉｎｄｉｃａｔｉｎｇ ＳＰＳ ｒｅｌｅａｓｅ)を受信した場合、端末はＰＣＣのバンドリングウィンドウ(又は該当区間内の特定のスロット集合)に対応するＡ／Ｎペイロードを該当Ａ／Ｎペイロードサイズに対応するＰＵＣＣＨフォーマット／リソースを通じて送信することができる。
【０２０７】
なお、ＤＬスケジューリングＤＣＩの場合、２つのタイプ(便宜上、ＤＣＩ ｔｙｐｅ ０とＤＣＩ ｔｙｐｅ １)が支援される。ここで、ＤＣＩ ｔｙｐｅ ０はＤＣＩフィールド構成が非−設定可能な(ｎｏｎ−ｃｏｎｆｉｇｕｒａｂｌｅ)ＤＣＩフォーマットを意味する。反面、ＤＣＩ ｔｙｐｅ １はＤＣＩフィールド構成が設定(ｃｏｎｆｉｇｕｒａｂｌｅ)可能なＤＣＩフォーマットを意味する。ＤＣＩ ｔｙｐｅ １のフィールド構成は、上位階層により端末に設定された通信モード(例えば、ＨＡＲＱ−ＡＣＫコードブック構成方式)によって可変できる。ＤＣＩ ｔｙｐｅ ０とＤＣＩ ｔｙｐｅ １は等価の他の用語に代替できる。例えば、ＤＣＩ ｔｙｐｅ ０はフォールバックＤＣＩフォーマットと称することができる。これにより、１)ＤＣＩ ｔｙｐｅ ０の場合、特定フィールド(例えば、２−ビット)が常に存在し、動的(ｄｙｎａｍｉｃ)Ａ／Ｎコードブックの設定時には該当特定フィールドがｃｏｕｎｔｅｒ−ＤＡＩ値を指示する用途に使用されることができる。なお、２)ＤＣＩ ｔｙｐｅ １の場合、動的Ａ／Ｎコードブックの設定時には、ｃｏｕｎｔｅｒ−ＤＡＩとｔｏｔａｌ−ＤＡＩを指示するフィールドが構成される反面、半−静的Ａ／Ｎコードブックの設定時にはＤＡＩ指示の用途にいかなるフィールドも構成されないことができる。動的Ａ／Ｎコードブック方式は、実際スケジューリングされたＤＬデータ数によってＡ／Ｎコードブックのサイズが可変する方式である。ｃｏｕｎｔｅｒ−ＤＡＩはＣＣ−ｆｉｒｓｔ方式に基づくＣＣ／スロット−単位スケジューリングの順序値を示し、Ａ／Ｎコードブック内でＡ／Ｎビットの位置を指定する時に使用される。ｔｏｔａｌ−ＤＡＩは現在のスロットまでのスロット−単位スケジューリング累積値を示し、Ａ／Ｎコードブックのサイズを決定する時に使用される。
【０２０８】
また、Ａ／Ｎコードブックの構成方式として半−静的Ａ／Ｎコードブックが設定された場合には、ｃｏｕｎｔｅｒ−ＤＡＩが使用されないので、ＤＣＩ ｔｙｐｅ ０内の特定のフィールドを半−静的Ａ／Ｎコードブックの設定状況で(ＰＵＣＣＨ)Ａ／Ｎフォールバック動作(有無)を指示する用途に使用することができる。即ち、特定のフィールドは動的Ａ／Ｎコードブックの設定時にｃｏｕｎｔｅｒ−ＤＡＩ値を指示する用途に使用され、半−静的Ａ／Ｎコードブックの設定時にＡ／Ｎフォールバックを指示する用途に使用されることができる。便宜上、特定のフィールドはｃｏｕｎｔｅｒ−ＤＡＩフィールドと称されることができる。従って、一例として、半−静的Ａ／Ｎコードブックの設定状況において、端末が１つのバンドリングウィンドウ区間の間に任意のＣＣ(又はｃｅｌｌ)又は特定のＣＣ(例えば、ＰＣＣ)をスケジューリングする(１つの)ＤＣＩ ｔｙｐｅ ０のみを受信した場合、ＤＣＩ ｔｙｐｅ ０内の特定のフィールドにより指示される値によって、１)ＤＣＩ ｔｙｐｅ ０又はこれからスケジューリングされたＤＬデータに対応するＡ／ＮについてのみＰＵＣＣＨ Ａ／Ｎフォールバック動作を行うか(例えば、ｃｏｕｎｔｅｒ−ＤＡＩフィールドが第１値(例えば、１)を有する場合)、又は２)(ＰＵＣＣＨ Ａ／Ｎフォールバック動作なしに)最大サイズのＡ／Ｎペイロードを送信することができる(例えば、ｃｏｕｎｔｅｒ−ＤＡＩフィールドが第１値以外の他の値(例えば、２〜４)を有する場合)。
【０２０９】
さらに、半−静的Ａ／Ｎコードブックの設定時には(特定のＤＣＩ ｔｙｐｅに基づいて送信される)ＵＬグラントＤＣＩ内の１−ビットＤＡＩフィールドにより(該当ＤＣＩからスケジューリングされたＰＵＳＣＨ上に)、１)０−ビットＡ／Ｎ又は上記のような１−ビットフォールバックＡ／Ｎのみを該当ＰＵＳＣＨにピギーバックして送信するか(例えば、ＵＬ−ＳＣＨ又は特定のＣＳＩ ｐａｒｔ(例えば、２)をパンクチャリングする形態)、又は２)上述した最大Ａ／Ｎペイロード(サイズ)を該当ＰＵＳＣＨにピギーバックして送信するか否かが指示されることができる(例えば、ＵＬ−ＳＣＨ及び／又はＣＳＩに対してレートマッチングされた形態)。ＬＴＥ／−Ａにおいて、Ａ／ＮはＡ／Ｎペイロードサイズに関係なくパンクチャリングによりＰＵＳＣＨにピギーバックされる。一方、ＮＲにおいて、Ａ／ＮはＡ／Ｎペイロードサイズによりパンクチャリング又はレートマッチングによりＰＵＳＣＨにピギーバックされる。例えば、Ａ／Ｎペイロードサイズが２−ビット以下である場合はパンクチャリングが使用され、３−ビット以上である場合にはレートマッチングが使用される。一方、基地局と端末の間にＡ／Ｎ不一致により、基地局は３−ビット以上のＡ／Ｎペイロードを期待する反面、端末は２−ビット以下のＡ／Ｎペイロードを構成することができる。この場合、ＰＵＳＣＨピギーバック方式の差によって基地局はＵＬ−ＳＣＨデータとＡ／Ｎを正しくデコーディングすることができない。よって、ＵＬグラントＤＣＩ内の１−ビットＤＡＩフィールドを通じて、１)(例えば、１−ビットＤＡＩフィールドが第１値(例えば、０)を有する場合)ＤＣＩ ｔｙｐｅ ０又はこれからスケジューリングされたＤＬデータに対応するＡ／ＮについてのみＰＵＳＣＨ Ａ／Ｎフォールバック動作を行うか(即ち、パンクチャリングを指示)、２)(例えば、１−ビットＤＡＩフィールドが第２値(例えば、１)を有する場合)(ＰＵＳＣＨ Ａ／Ｎフォールバック動作なしに)最大サイズのＡ／Ｎペイロードを送信することができる(即ち、レートマッチングを指示)。これにより、基地局と端末の間にＰＵＳＣＨピギーバック方式(例えば、パンクチャリング、レートマッチング)の不一致を防止することができる。
【０２１０】
図１１は本方法によるＡ／Ｎ送信方式を例示する。以下の動作において、端末は(ｉ)端末内のプロセッサ、(ｉｉ)プロセッサ内の通信モデムに代替できる。
【０２１１】
図１１を参照すると、端末はスロットセット(例えば、バンドリングウィンドウ)内で１つの下りリンク信号のみを受信することができる(Ｓ１１０２)。以後、端末は上記１つ以上の下りリンク信号に対するＡ／Ｎコードブックを生成した後(Ｓ１１０４)、Ａ／Ｎコードブックを送信することができる(Ｓ１１０６)。この時、以下の１)〜３)を含む所定の条件を満たす場合、Ａ／Ｎコードブックは１つの下りリンク信号に対するＡ／Ｎ情報のみを含むことができる:
【０２１２】
１)Ａ／Ｎコードブック構成方式が半−静的Ａ／Ｎコードブックで設定され、
【０２１３】
２)上記下りリンク信号がＰＣｅｌｌ(Ｐｒｉｍａｒｙ Ｃｅｌｌ)で受信され、
【０２１４】
３)上記下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、第１ＤＣＩフォーマット内の特定フィールドが第１値(例えば、００又はこれに相応する値、初期値)を有し、
【０２１５】
第１ＤＣＩフォーマットはＡ／Ｎコードブック構成方式が動的Ａ／Ｎコードブックで設定されてもフィールド構成が同一に維持されるＤＣＩフォーマットを含む。
【０２１６】
ここで、第１ＤＣＩフォーマット内の特定フィールドは、Ａ／Ｎコードブック構成方式が動的Ａ／Ｎコードブックで設定された場合、ｃｏｕｎｔｅｒ−ＤＡＩ値を指示する用途に使用される２−ビットフィールドを含むことができる。また、下りリンク信号は、(ｉ)ＰＤＳＣＨ、又は(ｉｉ)ＳＰＳ ＰＤＳＣＨ ｒｅｌｅａｓｅを指示するＰＤＣＣＨを含むことができる。
【０２１７】
また、下りリンク信号が第２ＤＣＩフォーマットによりスケジューリングされる場合、Ａ／Ｎコードブックはスロットセット内のスロット数に基づく最大Ａ／Ｎ情報を含み、第２ＤＣＩフォーマットはＡ／Ｎコードブック構成方式に基づいてＤＡＩフィールドの有無が変化するＤＣＩフォーマットを含み、スロットセットは複数のスロットを含むことができる。
【０２１８】
また、Ａ／ＮコードブックがＰＵＳＣＨ(Ｐｈｙｓｉｃａｌ Ｕｐｌｉｎｋ Ｓｈａｒｅｄ Ｃｈａｎｎｅｌ)を介して送信される場合、上記所定の条件はさらに以下の４)を含むことができる：４)ＰＵＳＣＨは１−ビットＤＡＩフィールドを含むＵＬ(Ｕｐｌｉｎｋ)グラントＤＣＩによりスケジューリングされ、１−ビットＤＡＩフィールドは第２値(例えば、０)を有する。
【０２１９】
図１２は本方法によるＡ／Ｎ受信方式を例示する。以下の動作において、基地局は(ｉ)基地局内のプロセッサ、(ｉｉ)プロセッサ内の通信モデムに代替できる。
【０２２０】
図１２を参照すると、基地局はスロットセット内で１つの下りリンク信号のみを送信することができる(Ｓ１２０２)。以後、基地局は１つ以上の下りリンク信号に対するＡ／Ｎコードブックを受信した後(Ｓ１２０４)、Ａ／Ｎコードブックを処理(例えば、複合、デコーディング、検出など)することができる(Ｓ１２０６)。この時、以下の１)〜３)を含む所定の条件を満たす場合、Ａ／Ｎコードブックは１つの下りリンク信号に対するＡ／Ｎ情報のみを含むことができる:
【０２２１】
１)Ａ／Ｎコードブック構成方式が半−静的Ａ／Ｎコードブックで設定され、
【０２２２】
２)上記下りリンク信号がＰＣｅｌｌ(Ｐｒｉｍａｒｙ Ｃｅｌｌ)で送信され、
【０２２３】
３)上記下りリンク信号が第１ＤＣＩ(Ｄｏｗｎｌｉｎｋ Ｃｏｎｔｒｏｌ Ｉｎｆｏｒｍａｔｉｏｎ)フォーマットによりスケジューリングされ、第１ＤＣＩフォーマット内の特定フィールドが第１値(例えば、００又はこれに相応する値、初期値)を有し、
【０２２４】
第１ＤＣＩフォーマットはＡ／Ｎコードブック構成方式が動的Ａ／Ｎコードブックで設定されてもフィールド構成が同一に維持されるＤＣＩフォーマットを含む。
【０２２５】
ここで、第１ＤＣＩフォーマット内の特定フィールドは、Ａ／Ｎコードブック構成方式が動的Ａ／Ｎコードブックで設定された場合、ｃｏｕｎｔｅｒ−ＤＡＩ値を指示する用途に使用される２−ビットフィールドを含むことができる。また、下りリンク信号は、(ｉ)ＰＤＳＣＨ、又は(ｉｉ)ＳＰＳ ＰＤＳＣＨ ｒｅｌｅａｓｅを指示するＰＤＣＣＨを含むことができる。
【０２２６】
また、下りリンク信号が第２ＤＣＩフォーマットによりスケジューリングされる場合、Ａ／Ｎコードブックはスロットセット内のスロット数に基づく最大Ａ／Ｎ情報を含み、第２ＤＣＩフォーマットはＡ／Ｎコードブック構成方式に基づいてＤＡＩフィールドの有無が変化するＤＣＩフォーマットを含み、スロットセットは複数のスロットを含むことができる。
【０２２７】
また、Ａ／ＮコードブックがＰＵＳＣＨ(Ｐｈｙｓｉｃａｌ Ｕｐｌｉｎｋ Ｓｈａｒｅｄ Ｃｈａｎｎｅｌ)を介して受信される場合、上記所定の条件はさらに以下の４)を含むことができる：４)ＰＵＳＣＨは１−ビットＤＡＩフィールドを含むＵＬ(Ｕｐｌｉｎｋ)グラントＤＣＩによりスケジューリングされ、１−ビットＤＡＩフィールドは第２値(例えば、０)を有する。
【０２２８】
また、上述したように、半−静的Ａ／Ｎコードブック設定状況において、同じ１つのＡ／Ｎ送信スロット(又はタイミング)にリンクされた(ＰＤＣＣＨ／ＰＤＳＣＨがスケジューリング／送信可能な)複数のスロット(又は時間ユニット)集合をバンドリングウィンドウと定義することができる。また上述したように、ＣＡ状況において、各ＣＣ内に複数のＢＷＰを予め半−静的に構成しておき、複数のＢＷＰを動的にスイッチングしてａｃｔｉｖｅ ＢＷＰを指定／変更する動作を考慮できる。また、(各ＣＣごとに設定された)複数のＢＷＰの各々について、(該当ＢＷＰによる)ＰＤＣＣＨ／ＰＤＳＣＨスケジューリング／送信に対応するＨＡＲＱ−ＡＣＫタイミングセット(例えば、上記Ａ／Ｎ遅延セット)を個々に／独立して設定する方式を考慮できる。なお、このような状況でＡ／Ｎ ＰＵＣＣＨ送信を行うＰＣＣの場合、１つのバンドリングウィンドウ区間の間に(ＰＣＣ内で)ａｃｔｉｖｅ ＢＷＰを変更する動作は、(基地局から送信された)ＢＷＰスイッチングを指示するＰＤＣＣＨに対する端末の検出／受信失敗によってＰＵＣＣＨ送信ＢＷＰについて端末と基地局の間に不一致の可能性があるので好ましくない。
【０２２９】
これを勘案して、１つのバンドリングウィンドウ区間の間にＰＣＣ内のａｃｔｉｖｅ ＢＷＰは変更できず、ＳＣＣ内のａｃｔｉｖｅ ＢＷＰは変更できるようにすることができる。これにより、バンドリングウィンドウ区間内でＰＣＣに対するＢＷＰスイッチング動作が指示された場合(例えば、指示されたＰＣＣ ＢＷＰの変更時点がＡ／Ｎ送信時点以前である場合)、端末は該当バンドリングウィンドウに対応するＡ／Ｎ送信を省略(ドロップ)することができる。反面、バンドリングウィンドウ区間内でＳＣＣに対してのみＢＷＰスイッチングが指示された場合は、端末は該当バンドリングウィンドウに対応するＡ／Ｎ送信を元通りに行うことができる。上述した動作を考慮して、ＰＣＣに対するバンドリングウィンドウはＰＣＣに指定されたａｃｔｉｖｅ ＢＷＰに設定されたＨＡＲＱ−ＡＣＫタイミングセットのみに基づいて決定される反面、ＳＣＣに対するバンドリングウィンドウはＳＣＣに設定された全てのＢＷＰに設定された複数のＨＡＲＱ−ＡＣＫタイミングセットの和集合に基づいて決定されることができる。
【０２３０】
なお、上記方式は１つのＢＷＰがＤＬとＵＬに共通に設定されるＴＤＤシステムに適合する。ＢＷＰがＤＬとＵＬに独立して設定されるＦＤＤシステムの場合、方式に変形が必要であることができる。具体的には、ＦＤＤケースでは１つのバンドリングウィンドウ区間の間にＰＣＣ内のａｃｔｉｖｅ ＵＬ ＢＷＰは変更できず、ＳＣＣ内のａｃｔｉｖｅ ＵＬ ＢＷＰは変更することができる。この場合、ＴＤＤケースとは異なり、１つのバンドリングウィンドウ区間の間に(ＰＣＣを含む)任意のＣＣ内のａｃｔｉｖｅ ＤＬ ＢＷＰを変更できるように動作することができる。これにより、バンドリングウィンドウ区間内でＰＣＣに対するＵＬ ＢＷＰスイッチング動作が指示された場合(例えば、指示されたＰＣＣ ＢＷＰの変更時点がＡ／Ｎの送信時点以前である場合)、端末はバンドリングウィンドウに対応するＡ／Ｎ送信を省略(ドロップ)することができる。反面、バンドリングウィンドウ区間内でＳＣＣに対してのみＵＬ ＢＷＰスイッチングが指示された場合は、端末はバンドリングウィンドウに対応するＡ／Ｎ送信を元通りに行うことができる。一方、このような動作を考慮して、(ＰＣＣを含む)各ＣＣに対するバンドリングウィンドウは該当ＣＣの全てのＤＬ ＢＷＰに設定された複数のＨＡＲＱ−ＡＣＫタイミングセットの和集合に基づいて決定されることができる。
【０２３１】
他の方法として、半−静的Ａ／Ｎコードブック(このためにＡ／Ｎペイロード)を各ＣＣ／セルに設定／指示されたａｃｔｉｖｅ ＢＷＰ(これに設定されたＨＡＲＱ−ＡＣＫタイミングセット及び／又はＰＤＳＣＨ候補セット及び／又はＰＤＣＣＨモニタリング区間)を基準として構成する方式が考えられる。この時、ＳＣｅｌｌが非活性化された場合、該当ＳＣｅｌｌに対してどのＢＷＰに基づいてＡ／Ｎペイロードを構成するかを決定する必要がある(即ち、該当情報が端末と基地局の間で一致する必要がある)。これを解消するために、ＳＣｅｌｌが非活性化された場合、該当ＳＣｅｌｌについて次のＢＷＰに基づいてＡ／Ｎペイロードを構成することができる。
【０２３２】
−(非活性化される前)該当ＳＣｅｌｌについて最近(又は最初)に指示されたａｃｔｉｖｅＢＷＰ
【０２３３】
−(ＲＲＣに設定されたＢＷＰインデックスに基づいて)最低の／最高のインデックスを有するＢＷＰ
【０２３４】
−対応する(最大)Ａ／Ｎビット数(或いは設定されたＨＡＲＱ−ＡＣＫタイミング数及び／又はＰＤＳＣＨ候補数)が最小の／最高のＢＷＰ
【０２３５】
−該当ＳＣｅｌｌに対するスケジューリング／送信が一定時間の間、非活動(ｉｎａｃｔｉｖｅ)であると、自動に指定されるｄｅｆａｕｌｔＢＷＰ
【０２３６】
[６]Ｍｅｔｈｏｄ ６：ＳＰＳ基盤のＰＤＳＣＨ送信が設定された状況におけるＡ／Ｎフィードバック動作
【０２３７】
既存のＬＴＥ／−Ａとは異なり、ＮＲシステムではＳＰＳ基盤のＰＤＳＣＨ送信を(ＰＣＣ(又はＰＣｅｌｌ)に限らず)複数のＣＣに対して(各ＣＣごとに独立して)設定できるように考慮している。この場合、各ＣＣに設定されたＳＰＳ ＰＤＳＣＨ送信周期及び対応するＡ／Ｎ送信時点によって、同じ１つの時点に(複数のＣＣにより受信された)複数のＳＰＳ ＰＤＳＣＨに対するＡ／Ｎ送信が重なることができる。従って、複数の(例えば、Ｎ個)のＳＰＳ ＰＤＳＣＨに対するＡ／Ｎ送信のために以下のような方法を提案する。
【０２３８】
(１)Ｏｐｔ １：Ｎ個のＳＰＳ ＰＤＳＣＨに対応するＮ−ビットＡ／ＮをＡ／Ｎバンドリングやドロップ無しにＮ−ビットペイロードを支援するＰＵＣＣＨフォーマット／リソースを使用してＡ／Ｎ送信を行うことができる。
【０２３９】
Ａ．ＰＵＣＣＨフォーマット／リソースは上位階層信号(例えば、ＲＲＣシグナリング)により別に設定されるか、又はＮ−ビットペイロードサイズに対応するＡＲＩ ＰＵＣＣＨリソースセット内の特定の(例えば、全てのＡＲＩビットが'０'である状態に対応する)１つのＰＵＣＣＨリソースとして設定されることができる。
【０２４０】
(２)Ｏｐｔ ２：Ｎ個のＳＰＳ ＰＤＳＣＨに対応するＮ−ビットＡ／Ｎを１−ビット又は２−ビットにバンドリングした後、１／２−ビットペイロードを支援するＰＵＣＣＨフォーマット／リソースを使用してＡ／Ｎ送信を行うことができる。
【０２４１】
Ａ．バンドリングは複数のＡ／Ｎに対するｌｏｇｉｃａｌ ＡＮＤ演算を意味する。２−ビットにバンドリングするケースにおいて、{１ｓｔ ビット、２ｎｄ ビット}は、{ＰＣＣに送信されたＳＰＳ ＰＤＳＣＨに対するＡ／Ｎ、(複数の)ＳＣＣに送信されたＳＰＳ ＰＤＳＣＨに対するｂｕｎｄｌｅｄ Ａ／Ｎ}で構成されるか、又は{ＣＣグループ１に送信されたＳＰＳ ＰＤＳＣＨに対するｂｕｎｄｌｅｄ Ａ／Ｎ、ＣＣグループ２に送信されたＳＰＳ ＰＤＳＣＨに対するｂｕｎｄｌｅｄ Ａ／Ｎ}で構成されることができる。
【０２４２】
(３)Ｏｐｔ ３：Ｎ個のＳＰＳ ＰＤＳＣＨのうち、特定の１つ又は２つに対応する１−ビット又は２−ビットＡ／Ｎのみを１／２−ビットペイロードを支援するＰＵＣＣＨフォーマット／リソースを使用してＡ／Ｎ送信を行うことができる。
【０２４３】
Ａ．１−ビットＡ／Ｎのみを送信する場合、ＰＣＣに送信されたＳＰＳ ＰＤＳＣＨに対するＡ／Ｎが該当１−ビットＡ／Ｎで構成されることができる。２−ビットＡ／Ｎのみを送信する場合、ＰＣＣと特定の(例えば、ＳＰＳ ＰＤＳＣＨが送信されたＳＣＣのうち、最低のＣＣ(セル)インデックスを有する)ＳＣＣに送信されたＳＰＳ ＰＤＳＣＨに対するＡ／Ｎが該当２−ビットＡ／Ｎで構成されることができる。
【０２４４】
一方、Ｏｐｔ ２及びＯｐｔ ３の場合にも、ＰＵＣＣＨフォーマット／リソースは上位階層信号(例えば、ＲＲＣシグナリング)により別に設定されるか、又は１／２−ビットペイロードサイズに対応するＡＲＩ ＰＵＣＣＨリソースセット内の特定の１つのＰＵＣＣＨリソースに設定されることができる。
【０２４５】
なお、１つのバンドリングウィンドウの間に最大Ｋ個(例えば、Ｋ＝２)以下のＣＣを介してのみＳＰＳ ＰＤＳＣＨ送信が行われるように(例えば、１つのバンドリングウィンドウの間に各ＣＣを介して１つのＳＰＳ ＰＤＳＣＨのみが送信されるように)制限されることができる。この時、Ｋ個のＣＣにＳＰＳ ＰＤＳＣＨ送信が設定された状態で、端末が１つのバンドリングウィンドウの間に(該当ＳＰＳ ＰＤＳＣＨを除いた)他のＰＤＣＣＨ／ＰＤＳＣＨを検出／受信できないことができる。この場合、端末はＫ個のＳＰＳ ＰＤＳＣＨが送信されたＣＣのインデックス順によってＡ／Ｎビットをマッピングし(例えば、低いＣＣインデックスに対応するＡ／Ｎを低いビットインデックスにマッピング)、最大Ｋ−ビットのペイロードを支援するＰＵＣＣＨフォーマットによりＫ−ビットＡ／Ｎを送信することができる。例えば、Ｋ＝２の場合、(ＳＰＳ ＰＤＳＣＨ送信ＣＣのうち)最低のＣＣインデックスにより受信されたＳＰＳ ＰＤＳＣＨに対するＡ／Ｎが１番目のビットにマッピングされ、最高のＣＣインデックスにより受信されたＳＰＳ ＰＤＳＣＨに対するＡ／Ｎが２番目のビットにマッピングされることができる。
【０２４６】
また、ＳＰＳ ＰＤＳＣＨの送信周期が短く設定された場合には、単一のバンドリングウィンドウの間に同じ１つのＣＣを介しても複数(例えば、Ｍ個)のＳＰＳ ＰＤＳＣＨ送信が行われることができる。この場合、端末はＭ個のＳＰＳ ＰＤＳＣＨが送信されたスロットインデックス順によってＳＰＳ ＰＤＳＣＨに対するＡ／Ｎビットをマッピングし(例えば、低いスロットインデックスに対応するＡ／Ｎを低いビットインデックスにマッピング)、特定のＰＵＣＣＨフォーマット／リソースによりＭ−ビットＡ／Ｎを送信することができる。また、特定の複数のＣＣに対して(単一のバンドリングウィンドウの間に)該当各ＣＣごとに複数のＳＰＳ ＰＤＳＣＨ送信が行われるように設定できる。この場合、低いＣＣインデックスから順に各ＣＣごとにスロットインデックス順によるＡ／Ｎビットマッピング(即ち、ｓｌｏｔ ｉｎｄｅｘ ｆｉｒｓｔ−ＣＣｉｎｄｅｘ ｓｅｃｏｎｄ ｍａｐｐｉｎｇ)を行うことができる。例えば、スロット＃１ ｉｎ ＣＣ＃１＝＞スロット＃２ ｉｎ ＣＣ＃１＝＞スロット＃１ ｉｎ ＣＣ＃２＝＞スロット＃２ ｉｎ ＣＣ＃２・・・の順にＳＰＳ ＰＤＳＣＨに対応するＡ／Ｎビットをマッピングすることができる。
【０２４７】
また、スロット＃ｎに送信された(ＤＬ)ＳＰＳ ｒｅｌｅａｓｅを指示するＰＤＣＣＨを介して、スロット＃(ｎ＋Ｋ)以後からＳＰＳ ＰＤＳＣＨ送信がｒｅｌｅａｓｅされるように動作できるが、ＳＰＳ ｒｅｌｅａｓｅ ＰＤＣＣＨ送信スロットとＳＰＳ ＰＤＳＣＨ送信スロットが同じ１つのバンドリングウィンドウ内に構成されることができる。この場合、基地局はＳＰＳ ｒｅｌｅａｓｅ ＰＤＣＣＨを送信したが、端末が該当ＰＤＣＣＨの検出に失敗した場合、端末は相変わらず基地局からＳＰＳ ＰＤＳＣＨ送信を期待するので、端末と基地局の間に(ＳＰＳ ＰＤＳＣＨに対するＡ／Ｎの有無不一致による)Ａ／Ｎペイロード(サイズ)の不一致が発生する。この問題を解決するために以下のような方法を提案する。
【０２４８】
(１)Ｏｐｔｉｏｎ １
【０２４９】
同じ１つのバンドリングウィンドウ内に(端末が検出に成功した)ＳＰＳ ｒｅｌｅａｓｅ ＰＤＣＣＨ送信スロットとＳＰＳ ＰＤＳＣＨ送信が設定されたスロットが共存する場合、(ＳＰＳ ｒｅｌｅａｓｅ命令の適用に関係なく)端末はＳＰＳ ＰＤＳＣＨに対応するＸ−ビット(例えば、Ｘ＝１)を追加して全体Ａ／Ｎペイロードを構成することができる。よって、同じ１つのバンドリングウィンドウ内にＳＰＳ ｒｅｌｅａｓｅ ＰＤＣＣＨ送信スロット以後にＳＰＳ ＰＤＳＣＨ送信が設定されたスロットが存在する場合にも、端末はＳＰＳ ＰＤＳＣＨに対応するＸ−ビット(例えば、Ｘ＝１)を追加して全体Ａ／Ｎペイロードを構成することができる。この時、該当Ｘ−ビット(例えば、Ｘ＝１)はＮＡＣＫ／ＤＴＸにマッピングされることができる。一方、ＳＰＳ ｒｅｌｅａｓｅ ＰＤＣＣＨが受信されたバンドリングウィンドウの次のバンドリングウィンドウから端末はＳＰＳ ＰＤＳＣＨに対応するＸ−ビット(例えば、Ｘ＝１)を構成しない。
【０２５０】
(２)Ｏｐｔｉｏｎ ２ 
【０２５１】
ＳＰＳ ｒｅｌｅａｓｅ ＰＤＣＣＨ送信スロットとＳＰＳ ＰＤＳＣＨ送信スロットは、互いに異なるバンドリングウィンドウのみに構成されるように制限できる。これにより、端末はＳＰＳ ｒｅｌｅａｓｅ ＰＤＣＣＨ送信スロットＡとＳＰＳ ＰＤＳＣＨ送信スロットＢが同じ１つのバンドリングウィンドウ内に構成されないと仮定した状態で動作することができる。もし、スロットＡとスロットＢが単一のバンドリングウィンドウ内に構成された場合、端末はＳＰＳ ｒｅｌｅａｓｅ ＰＤＣＣＨを廃棄するか(ｄｉｓｃａｒｄ)、又は該当バンドリングウィンドウに対応するＡ／Ｎ送信をドロップすることができる。
【０２５２】
(３)Ｏｐｔｉｏｎ ３ 
【０２５３】
同じ１つのバンドリングウィンドウ内にＳＰＳ ｒｅｌｅａｓｅ ＰＤＣＣＨ送信スロットＡとＳＰＳ ＰＤＳＣＨ送信スロットＢが共存する場合、スロットＡはスロットＢより(Ｋ−１)個のスロット以前の時点を含む以後から構成されるように制限されることができる。これにより端末はスロットＡがスロットＢよりＫ個のスロット以前の時点を含めてその以前には構成されないと仮定した状態で動作することができる。もし、単一のバンドリングウィンドウ内にスロットＡがスロットＢよりＫ個のスロット以前の時点又はその以前に構成された場合は、端末はＳＰＳ ｒｅｌｅａｓｅ ＰＤＣＣＨを廃棄するか(ｄｉｓｃａｒｄ)、又は該当バンドリングウィンドウに対応するＡ／Ｎ送信をドロップすることができる。
【０２５４】
[７]Ｍｅｔｈｏｄ ７：ｄｅｆａｕｌｔ ＤＬ ＨＡＲＱプロセス数及びｄｅｆａｕｌｔ ＨＡＲＱ−ＡＣＫタイミングセット
【０２５５】
既存のＬＴＥ／−Ａとは異なり、ＮＲシステムでは最大ＤＬ ＨＡＲＱプロセス数が(端末−特定に、また各ＣＣごとに)上位階層信号(例えば、ＲＲＣシグナリング)により設定されることができる。また、ＨＡＲＱ−ＡＣＫタイミングセット(例えば、上記においてＡ／Ｎ遅延セット)も(端末−特定に、また各ＣＣごとに)上位階層信号(例えば、ＲＲＣシグナリング)により設定されることができる。
【０２５６】
まず、最大のＤＬ ＨＡＲＱプロセス数の場合、(端末−特定のＲＲＣ信号により)端末に特定値が設定される前に端末が仮定／設定して動作すべきｄｅｆａｕｌｔ ＤＬ ＨＡＲＱプロセス数を予め定義する必要である。ｄｅｆａｕｌｔ値はＤＬ ＨＡＲＱプロセス数で設定可能な値のうち、最小値(又は最大値)に予め定義されることができる。
【０２５７】
また、ＨＡＲＱ−ＡＣＫタイミングセットの場合にも、(端末−特定のＲＲＣ信号により)端末に特定値が設定される前に、又はフォールバックＤＣＩフォーマットによりスケジューリングされたＰＤＳＣＨに対して端末が仮定／適用して動作すべきｄｅｆａｕｌｔ ＨＡＲＱ−ＡＣＫタイミングセットを予め定義する必要がある。ｄｅｆａｕｌｔ ＨＡＲＱ−ＡＣＫタイミングセットは、主にＲＲＣ ｒｅｃｏｎｆｉｇｕｒａｔｉｏｎの間に発生し得る端末と基地局の間の不一致をなくすためのものであるので、ｄｅｆａｕｌｔ ＨＡＲＱ−ＡＣＫタイミングセットは、ＰＣＣをスケジューリングするフォールバックＤＣＩフォーマットについてのみ適用することが好ましい。即ち、ＳＣＣをスケジューリングするフォールバックＤＣＩフォーマットについてはＨＡＲＱ−ＡＣＫタイミングセットを構成できるように設定／変更することができる。
【０２５８】
[８]Ｍｅｔｈｏｄ ８：動的Ａ／Ｎコードブックの設定状況においてＡ／Ｎピギーバック ｏｎ ＰＵＳＣＨ動作
【０２５９】
動的Ａ／Ｎコードブック設定状況では、ＤＬグラントによりｃｏｕｎｔｅｒ−ＤＡＩ及び／又はｔｏｔａｌ−ＤＡＩがシグナリングされることができ、ＵＬグラントによっては(基地局スケジューリング及び端末仮定の観点で)全体いくつのＤＬデータがスケジューリングされたかを知らせるＵＬＤＡＩがシグナリングされることができる。なお、ＮＲシステムでは、ＤＬグラント−ｔｏ−ＤＬデータの送信タイミング(ｇａｐ)、ＤＬデータ−ｔｏ−Ａ／Ｎ送信タイミング(ｇａｐ)、ＵＬグラント−ｔｏ−ＰＵＳＣＨタイミング(ｇａｐ)がいずれも動的に指示されることができる。この状況において、ＤＬグラント送信／受信時点が該当ＤＬグラントに対応するＡ／ＮがピギーバックされるＰＵＳＣＨをスケジューリングするＵＬグラントの送信／受信時点より遅い場合は、該当ＤＬグラントによるＤＬデータスケジューリング／送信はＵＬグラントによりシグナリングされるＵＬＤＡＩ値に反映されない。
【０２６０】
これを考慮して、Ａ／ＮがピギーバックされるＰＵＳＣＨをスケジューリングするＵＬグラントの送信／受信時点(スロット)より遅い時点(スロット)によりＤＬグラントが検出／受信された場合、端末はＰＵＳＣＨにピギーバックされるＡ／Ｎペイロードのサイズを(ＵＬ ＤＡＩではない)該当ＤＬグラントによりシグナリングされたｃｏｕｎｔｅｒ−ＤＡＩ及び／又はｔｏｔａｌ−ＤＡＩ値に基づいて決定することができる。なお、Ａ／ＮがピギーバックされるＰＵＳＣＨをスケジューリングするＵＬグラント送信／受信時点(スロット)より遅い時点(スロット)で検出／受信されたＤＬグラントがない場合、端末はＰＵＳＣＨにピギーバックされるＡ／Ｎペイロードサイズを(該当ＰＵＳＣＨに対応するＵＬグラントによりシグナリングされた)ＵＬ ＤＡＩ値に基づいて決定することができる。
【０２６１】
[９]Ｍｅｔｈｏｄ ９：マルチ−スロットＰＤＳＣＨ送信／スケジューリングが設定された状況におけるＡ／Ｎフィードバック動作
【０２６２】
ＮＲシステムでは、同じ１つのＰＤＳＣＨ(又はＴＢ)が複数のスロットにかけて送信される形態のマルチ−スロットＰＤＳＣＨスケジューリング方式が考えられる。この場合、(特に半−静的ＨＡＲＱ−ＡＣＫコードブックにおける)バンドリングウィンドウ及びこれに対応するＡ／Ｎペイロードのサイズは、１つのマルチ−スロットＰＤＳＣＨ送信を構成する最後のＰＤＳＣＨ送信に割り当てることができるスロット(以下、終了(ｅｄｎｉｎｇ)スロット)と、Ａ／Ｎ ＰＵＣＣＨ送信スロットにリンクされた／対応する(ＰＤＣＣＨ／ＰＤＳＣＨがスケジューリング／送信可能な)スロットの間の積集合(これに該当するスロットに対応するＡ／Ｎビット)で構成されることができる(Ｏｐｔｉｏｎ １)。この場合、１つのバンドリングウィンドウについては(該当バンドリングウィンドウ内で)時間がオーバーラップしない最大の(ｎｏｎ−ｏｖｅｒｌａｐｐｅｄ)マルチ−スロットＰＤＳＣＨ数に対応するＡ／Ｎビットが構成されることができる。これにより、上記"最後のＰＤＳＣＨ送信に割り当てることができるスロット"は、ノン−オーバーラップのマルチ−スロットＰＤＳＣＨ候補のみに限定して決定されることができる(Ｏｐｔｉｏｎ ２)。また、１つのバンドリングウィンドウの間には１つのマルチ−スロットＰＤＳＣＨ送信のみが許容されるように動作することができる。これにより、マルチ−スロットＰＤＳＣＨ送信／スケジューリングが設定された場合、各バンドリングウィンドウごとに単一のマルチ−スロットＰＤＳＣＨに対応するＡ／Ｎビットが構成されることができる(Ｏｐｔｉｏｎ ３)。
【０２６３】
提案する一例として、Ａ／Ｎ ＰＵＣＣＨ送信スロットにリンクされた(ＤＬ)スロットインデックスが{１、２、３、４、５、６、７、８、９、１０}に設定され、１つのマルチ−スロットＰＤＳＣＨ送信に使用されるスロット数が４つ(例えば、スロットインデックス１／２／３／４又は４／５／６／７又は７／８／９／１０が１つのマルチ−スロットＰＤＳＣＨ構成可能)に設定され、マルチ−スロットＰＤＳＣＨの最後のＰＤＳＣＨ送信に可能なスロットインデックスが{４、７、１０}に設定された状況を仮定することができる。この時、Ｏｐｔｉｏｎ １の場合、スロットインデックス{１、２、３、４、５、６、７、８、９、１０}とスロットインデックス{４、７、１０}の間の積集合に該当するスロットインデックス{４、７、１０}が１つのバンドリングウィンドウで構成され、スロットインデックス{４、７、１０}の３つのスロットに対応するＡ／Ｎビットが構成されることができる。なお、Ｏｐｔｉｏｎ ２の場合、スロットインデックス{１、２、３、４、５、６、７、８、９、１０}と(例えば、スロットインデックス１／２／３／４又は７／８／９／１０で構成される)ノン−オーバーラップのマルチ−スロットＰＤＳＣＨの最後のＰＤＳＣＨ送信に可能なスロットインデックス{４、１０}間の積集合が(最大)２つのスロットに該当するので、よって、２つのノン−オーバーラップのマルチ−スロットＰＤＳＣＨに対応するＡ／Ｎビットが構成されることができる。
【０２６４】
また、Ｏｐｔｉｏｎ ２に基づいて決定されたＡ／Ｎビットの各々に対応するマルチ−スロットＰＤＳＣＨ候補集合を定義する方式が必要である(即ち、１つ以上のマルチ−スロットＰＤＳＣＨ候補に対するＡ／Ｎが同じ１つのビットにマッピングされる)。このための一例として、最も遅い終了(又は開始)スロットを有するマルチ−スロットＰＤＳＣＨ候補及びこれと時間がオーバーラップするマルチ−スロットＰＤＳＣＨ候補集合(以下、Ｓｅｔ＃１)が同じ１つのＡ／Ｎビット＃１(例えば、ｌａｓｔ ｂｉｔ ｉｎ ｐａｙｌｏａｄ)に対応することができる。次に、Ｓｅｔ＃１を除いて最も遅い終了(又は開始)スロットを有するマルチ−スロットＰＤＳＣＨ候補及びこれと時間がオーバーラップするマルチ−スロットＰＤＳＣＨ候補集合(以下、Ｓｅｔ＃２)が同じ１つのＡ／Ｎビット＃２(例えば、ｓｅｃｏｎｄ ｌａｓｔ ｂｉｔ ｉｎ ｐａｙｌｏａｄ)に対応することができる。かかる方式によって、順次にＰＤＳＣＨ候補(セット)とＡ／Ｎビットの間のマッピング関係が決定されることができる。他の例として、最も早い開始(又は終了)スロットを有するマルチ−スロットＰＤＳＣＨ候補及びこれと時間がオーバーラップするマルチ−スロットＰＤＳＣＨ候補集合(以下、Ｓｅｔ＃１)が同じ１つのＡ／Ｎビット＃１(例えば、ｆｉｒｓｔ ｂｉｔ ｉｎ ｐａｙｌｏａｄ)に対応することができる。次に、Ｓｅｔ＃１を除いて最も早い開始(又は終了)スロットを有するマルチ−スロットＰＤＳＣＨ候補及びこれと時間がオーバーラップするマルチ−スロットＰＤＳＣＨ候補の集合(以下、Ｓｅｔ＃２)が同じ１つのＡ／Ｎビット＃２(例えば、ｓｅｃｏｎｄ ｂｉｔ ｉｎ ｐａｙｌｏａｄ)に対応することができる。かかる方式によって、順次にＰＤＳＣＨ候補(セット)とＡ／Ｎビットの間のマッピング関係が決定されることができる。
【０２６５】
このようなＰＤＳＣＨ候補とＡ／Ｎビットの間のマッピング方法は、１つのスロット内に複数の(シンボル−レベル)ＰＤＳＣＨ候補が設定された場合にも類似に適用できる。この場合、１つのスロット内で時間がオーバーラップしない最大のＰＤＳＣＨ数に対応するＡ／Ｎビットが該当スロットに対するＡ／Ｎペイロードで構成されると仮定することができる。このための一例として、最も遅い終了(又は開始)シンボルを有するＰＤＳＣＨ候補及びこれと時間がオーバーラップするＰＤＳＣＨ候補集合(以下、Ｓｅｔ＃１)が同じ１つのＡ／Ｎビット＃１(例えば、ｌａｓｔ ｂｉｔ ｉｎ ｐａｙｌｏａｄ)に対応することができる。次に、Ｓｅｔ＃１を除いて最も遅い終了(又は開始)シンボルを有するＰＤＳＣＨ候補及びこれと時間がオーバーラップするＰＤＳＣＨ候補集合(以下、Ｓｅｔ＃２)が同じ１つのＡ／Ｎビット＃２(例えば、ｓｅｃｏｎｄ ｌａｓｔ ｂｉｔ ｉｎ ｐａｙｌｏａｄ)に対応することができる。かかる方式によって、順次にＰＤＳＣＨ候補(セット)とＡ／Ｎビットの間のマッピング関係が決定されることができる。他の(逆の)一例として、最も早い開始(又は終了)シンボルを有するＰＤＳＣＨ候補及びこれと時間がオーバーラップするＰＤＳＣＨ候補集合(以下、Ｓｅｔ＃１)が同じ１つのＡ／Ｎビット＃１(例えば、ｆｉｒｓｔ ｂｉｔ ｉｎ ｐａｙｌｏａｄ)に対応することができる。次に、Ｓｅｔ＃１を除いて最も早い開始(又は終了)シンボルを有するＰＤＳＣＨ候補及びこれと時間がオーバーラップするＰＤＳＣＨ候補集合(以下、Ｓｅｔ＃２)が同じ１つのＡ／Ｎビット＃２(例えば、ｓｅｃｏｎｄ ｂｉｔ ｉｎ ｐａｙｌｏａｄ)に対応することができる。かかる方式によって、順次にＰＤＳＣＨ候補(セット)とＡ／Ｎビットの間のマッピング関係が決定されることができる。
【０２６６】
なお、１つのスロット内に複数の(シンボル−レベル)ＰＤＳＣＨ候補が設定された場合、該当スロットにより検出／受信されたＳＰＳ ｒｅｌｅａｓｅ ＰＤＣＣＨに対するＡ／Ｎは、該当スロット内の特定(例えば、最低又は最高)のＰＤＳＣＨ候補インデックスに対応するＡ／Ｎビット又は該当スロットに対応するＡ／Ｎペイロード内で特定(例えば、最初又は最後)のビットにマッピングされることができる。
【０２６７】
[１０]Ｍｅｔｈｏｄ １０：互いに異なるＳＣＳ間のｃｒｏｓｓ−ＣＣスケジューリング時の端末プロセシング時間の設定
【０２６８】
まず、ＤＬデータ受信(終了)時点に対応するＨＡＲＱ−ＡＣＫ送信(開始)時点の間の時間間隔に該当するＯＦＤＭシンボル数をＤＬプロセシング時間Ｎ１と定義し、ＵＬグラント受信(終了)時点に対応するＵＬデータ送信(開始)時点間の時間間隔に該当するＯＦＤＭシンボル数をＵＬプロセシング時間Ｎ２と定義する。(Ｎ１、Ｎ２)はＤＬ／ＵＬデータ(及び／又はＨＡＲＱ−ＡＣＫ又はＵＬグラント)送信に使用されるＳＣＳ(例えば、１５、３０、６０、１２０[ＫＨｚ])、ＤＬ／ＵＬデータ信号復調のために設定されたＤＭＲＳマッピングパターン(シンボル位置)、ＤＬ／ＵＬデータ信号に対するＲＥマッピング方式(例えば、周波数優先又は時間優先方式)及び／又はピークデータレートに対比してスケジューリングされたＤＬ／ＵＬデータＴＢＳの比率(即ち、ＴＢＳ ｒａｔｉｏ)などによって異なる値に決定される。
【０２６９】
なお、(Ｎ１、Ｎ２)に対応するデータチャネル／信号と制御チャネル／信号は、同じ１つのＣＣにより送信されるように設定されるか、(ＣＡ状況で)互いに異なるＣＣにより送信されるように設定できる。この場合、２つのチャネル／信号の間に互いに異なるＳＣＳが設定できる。例えば、Ｎ１の場合、ＤＬデータ(ＰＤＳＣＨ)とこれに対応するＨＡＲＱ−ＡＣＫ(ＰＵＣＣＨ)の間に異なるＳＣＳが使用される。また、Ｎ２の場合、ＵＬグラントＤＣＩ(ＰＤＣＣＨ)とこれに対応するＵＬデータ(ＰＵＳＣＨ)の間に異なるＳＣＳが使用される。また、ＤＬグラントＤＣＩ(ＰＤＣＣＨ)とこれからスケジューリングされるＤＬデータ(ＰＤＳＣＨ)の間にも互いに異なるＳＣＳが使用され、ＰＤＣＣＨとＰＤＳＣＨの間のＳＣＳ差によってＰＤＣＣＨデコーディングの終了時点及びＰＤＳＣＨデコーディングの開始時点が変わることができる。例えば、ＰＤＣＣＨのＳＣＳが大きいほどＰＤＣＣＨデコーディングの終了時点及びＰＤＳＣＨデコーディングの開始時点が遅くなることができる。結果的に、Ｎ１値がＰＤＣＣＨとＰＤＳＣＨの間のＳＣＳ差によって異なるように定義／設定されることができる。
【０２７０】
これに関連して、ＳＣＳ Ｓｄを使用するＤＬデータ(ＰＤＳＣＨ)と、これに対応するＨＡＲＱ−ＡＣＫ(ＰＵＣＣＨ)の間のＤＬプロセシング時間がＮ１'と定義され、ＤＬデータ(ＰＤＳＣＨ)をスケジューリングするＤＬグラントＤＣＩ(ＰＤＣＣＨ)に使用されるＳＣＳ ＳＣがＳｄとは異なる値に設定されることができる。この場合、Ｎ１'値に以下のＮｏに該当するシンボル数を加えた値(Ｎ１'＋Ｎｏ)をＤＬデータ(ＰＤＳＣＨ)のためのＮ１値として定義／設定することができる。
【０２７１】
−Ｎｏ＝ｆｌｏｏｒ(Ｓｄ／Ｓｃ)又はＮｏ＝ｃｅｉｌ(Ｓｄ／Ｓｃ)、
【０２７２】
−Ｎｏ＝Ｎｎ×ｆｌｏｏｒ(Ｓｄ／Ｓｃ)又はＮｏ＝Ｎｎ×ｃｅｉｌ(Ｓｄ／Ｓｃ)、
【０２７３】
−Ｎｏ＝ｆｌｏｏｒ(Ｓｄ／ＳＣ)−Ｎｏ'又はＮｏ＝ｃｅｉｌ(Ｓd／Ｓc)−Ｎｏ'、
【０２７４】
−Ｎｏ＝Ｎｎ×ｆｌｏｏｒ(Ｓｄ／Ｓｃ)−Ｎｏ'又はＮo＝Ｎn×ｃｅｉｌ(Ｓｄ／Ｓｃ)−Ｎｏ'、
【０２７５】
−Ｎｏ＝Ｎｎ×{ｆｌｏｏｒ(Ｓｄ／Ｓｃ)−Ｎｏ'}又はＮo＝Ｎn×{ｃｅｉｌ(Ｓｄ／Ｓｃ)−Ｎｏ'}
【０２７６】
ここで、ＮｎはＰＤＣＣＨ(リソース区間)構成のシンボル数を示し(例えば、Ｎｎ＝１、２、３)、Ｎｏ'は特定のシンボル数を示す(例えば、Ｎｏ'＝１)。また、Ｎ１'、Ｎｏ及び／又はＮ１はＨＡＲＱ−ＡＣＫ(ＰＵＣＣＨ)の送信に使用／設定されたＳＣＳに基づくシンボル数で決定されることができる。また、ｆｌｏｏｒ(Ｘ)はＸ以下の最大整数、ｃｅｉｌ(Ｘ)はＸ以上の最小整数を各々意味する。
【０２７７】
さらに、ＣＳＩフィードバック動作に関連して、ＣＳＩ報告送信をトリガーするＤＣＩ／ＰＤＣＣＨ及び／又はＣＳＩの測定対象になるＤＬＲＳ(最後のシンボル)受信及びこれに対応するＣＳＩ報告ＰＵＣＣＨ／ＰＵＳＣＨ(該当チャネルの開始シンボル又は該当チャネル内でＣＳＩ信号がマッピング／送信される開始シンボル)送信間の最小の端末プロセシング時間をＮ３と定義することができる。かかる状態で、Ｎ３を満たさない場合(即ち、ＤＣＩ／ＰＤＣＣＨ又はＤＬＲＳの最後のシンボルからＣＳＩ(ＰＵＣＣＨ／ＰＵＳＣＨ)送信開始シンボルまでの間隔がＮ３未満である場合)、端末は(スケジューリング／指示されたＰＵＣＣＨ／ＰＵＳＣＨを介して)有効ではないＣＳＩ報告(例えば、アップデートされていない又は以前／最近に報告されたＣＳＩフィードバック)を送信するか、又はＣＳＩ報告送信をドロップすることができる。
【０２７８】
なお、ＤＬグラントＤＣＩ(ＰＤＣＣＨ)により、ＤＣＩからスケジューリングされるＤＬデータ(ＰＤＳＣＨ)が送信されるＢＷＰインデックス及びＤＬデータ(ＰＤＳＣＨ)送信が開始されるスロット／シンボルインデックス(以下、ＰＤＳＣＨ開始遅延)を指示する方法を考慮できる。ここで、ＰＤＳＣＨ開始遅延は、ＰＤＣＣＨ送信に使用された最後のシンボルからＰＤＳＣＨ送信が開始されるシンボルまでの遅延を意味する。もし、ＰＤＣＣＨが送信されるＢＷＰと(ＰＤＣＣＨから指示された)ＰＤＳＣＨが送信されるＢＷＰとが異なる場合、(ＲＦチューニングなどによる)ＢＷＰスイッチング遅延を伴うことができる。この時、ＰＤＳＣＨ開始遅延が特定値未満に指示される場合、ＰＤＳＣＨ信号に対する受信(バッファリング)開始時点が遅くなり、これによってＰＤＳＣＨの受信／復号性能が低下することができる。ここで、特定値はＢＷＰスイッチング遅延に相応する値を含む。
【０２７９】
よって、ＢＷＰスイッチングを伴うＤＬデータ(ＰＤＳＣＨ)スケジューリング／送信の場合、ＰＤＳＣＨをスケジューリングするＤＬグラントＤＣＩ(ＰＤＣＣＨ)によっては、特定値以上のＰＤＳＣＨ開始遅延のみが指示されるように制限することができる。ここで、特定値はＢＷＰスイッチング遅延に相応する値を含む。これにより、ＰＤＣＣＨを介して特定値以上のＰＤＳＣＨ開始遅延が指示された場合、端末はＢＷＰスイッチングを行った後、変更されたＢＷＰによりＰＤＳＣＨ信号を受信することができる。反面、そうではない場合には、(即ち、特定値未満のＰＤＳＣＨ開始遅延が指示された場合には)、端末は、１)該当ＰＤＣＣＨを廃棄するか(ｄｉｓｃａｒｄ)(即ち、ＢＷＰスイッチングとＰＤＳＣＨ受信を全て省略)、又は２)ＢＷＰスイッチングは行うが、該当ＰＤＳＣＨ受信を省略することができる。他の方法として、ＰＤＳＣＨの開始遅延指示については特に制限しない状態で、特定値未満のＰＤＳＣＨ開始遅延が指示された場合、端末はＢＷＰスイッチングを行った後、変更されたＢＷＰにより(スケジューリングされた)ＰＤＳＣＨ信号の一部のみを受信(及び復号)することができる。ここで、特定値はＢＷＰスイッチング遅延に相応する値を含む。
【０２８０】
図１３は本発明に適用可能な基地局及び端末を例示する。
【０２８１】
図１３を参照すると、無線通信システムは、基地局(ＢＳ)１１０及び端末(ＵＥ)１２０を含む。リレーを含む無線通信システムの場合、基地局又は端末はリレーに取り替えられることができる。
【０２８２】
基地局１１０は、プロセッサ１１２、メモリ１１４及び無線周波数(Ｒａｄｉｏ Ｆｒｅｑｕｅｎｃｙ、ＲＦ)ユニット１１６を含む。プロセッサ１１２は本発明で提案した過程及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した過程及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。
【０２８３】
前述した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０２８４】
本文書で、本発明の実施例は主に端末と基地局間のデータ送受信関係を中心として説明した。本文書で、基地局によって遂行されると説明した特定の動作は場合によってはその上位ノード(ｕｐｐｅｒ ｎｏｄｅ)によって遂行することができる。すなわち、基地局を含む複数のネットワークノード(ｎｅｔｗｏｒｋ ｎｏｄｅｓ)でなるネットワークで端末との通信のために行われる多様な動作は基地局又は基地局以外の他のネットワークノードによって遂行することができるのは明らかである。基地局は、固定国(ｆｉｘｅｄ ｓｔａｔｉｏｎ)、Ｎｏｄｅ Ｂ、ｅＮｏｄｅＢ(ｅＮＢ)、アクセスポイント(ａｃｃｅｓｓ ｐｏｉｎｔ)などの用語に取り替えることができる。また、端末はＵＥ(Ｕｓｅｒ Ｅｑｕｉｐｍｅｎｔ)、ＭＳ(Ｍｏｂｉｌｅ Ｓｔａｔｉｏｎ)、ＭＳＳ(Ｍｏｂｉｌｅ Ｓｕｂｓｃｒｉｂｅｒ Ｓｔａｔｉｏｎ)などの用語に取り替えられることができる。
【０２８５】
本発明の実施例は、多様な手段、例えば、ハードウェア、ファームウェア(ｆｉｒｍｗａｒｅ)、ソフトウェア又はそれらの組合せなどによって具現することができる。ハードウェアによる具現の場合、本発明の一実施例は、一つ又はそれ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０２８６】
ファームウェアやソフトウェアによる具現の場合、本発明の一実施例は、前述した機能又は動作を行うモジュール、手続、関数などの形態に具現することができる。ソフトウェアコードは、メモリユニットに格納してプロセッサによって駆動することができる。前記メモリユニットは、前記プロセッサの内部又は外部に位置し、既に公知の多様な手段によって前記プロセッサとデータをやり取りすることができる。
【０２８７】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０２８８】
本発明は無線移動通信システムの端末機、基地局またはその他の装備に使用できる。
【図１】
2020532223.tif 000008
【図２】
2020532223.tif 000009
【図３】
2020532223.tif 000010
【図４】
2020532223.tif 000011
【図５】
2020532223.tif 000012
【図６】
2020532223.tif 000013
【図７】
2020532223.tif 000014
【図８】
2020532223.tif 000015
【図９】
2020532223.tif 000016
【図１０】
2020532223.tif 000017
【図１１】
2020532223.tif 000018
【図１２】
2020532223.tif 000019
【図１３】
2020532223.tif 000020
【国際調査報告】
2020532223.tif 000021
2020532223.tif 000022
2020532223.tif 000023
2020532223.tif 000024